(57)【特許請求の範囲】
【請求項１】
不連続受信（ＤＲＸ）サイクルごとにモバイル・デバイスのトランシーバをオン状態に切り替えることと、
第１のサイクル中に前記トランシーバを介して第１のページング信号を受信することと、
前記受信した第１のページング信号を前記モバイル・デバイスのメモリに記憶することと、
前記トランシーバをオフ状態に切り替えることと、
前記トランシーバが前記オフ状態にある間に前記記憶された第１のページング信号を処理することであって、前記処理が、前記第１のページング信号をＤＲＸ処理することを備える、処理することと、
前記処理に基づいてオンライン・モードに入るべきかどうかを判断することと、
を備える、信号を処理するための方法。
【請求項２】
前記第１のページング信号のパイロット信号の強度を測定することと、前記測定に基づいて前記トランシーバをオン状態に切り替えるべきかどうかを判断することとをさらに備える請求項１に記載の方法。
【請求項３】
前記測定されたパイロット信号の前記強度が所定のしきい値を超えない場合、代替システムの探索を行うことをさらに備える請求項２に記載の方法。
【請求項４】
前記代替システムが、データ最適化（ＤＯ）システム、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システム、またはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）である請求項３に記載の方法。
【請求項５】
前記第１のサイクル中に、第２のサイクル中にオンライン・モードに入ると判断することと、
前記メモリをオフライン動作モードからオンライン動作モードに再構成することと、
前記第２のサイクル中に前記オンライン・モードに入ることと、
をさらに備える請求項１に記載の方法。
【請求項６】
前記第２のサイクル中にネイバー・セルを検出することであって、前記ネイバー・セルが、非同期（ＡＳＹＮＣ）周波数分割複信（ＦＤＤ）ロングタームエボリューション（ＬＴＥ）ネイバー・セル、同期（ＳＹＮＣ）ＦＤＤ  ＬＴＥネイバー・セル、またはＳＹＮＣ時分割複信（ＴＤＤ）ＬＴＥネイバー・セルである、検出することと、
前記トランシーバが前記オン状態にある間に前記ネイバー・セルに対して１次同期信号（ＰＳＳ）処理を実行することと、
前記トランシーバが前記オフ状態にある間に前記ネイバー・セルに対して２次同期信号（ＳＳＳ）処理を実行することと、
をさらに備える請求項５に記載の方法。
【請求項７】
前記ＳＹＮＣ  ＦＤＤ  ＬＴＥネイバー・セルおよび前記ＳＹＮＣ  ＴＤＤ  ＬＴＥネイバー・セルの前記ＰＳＳ処理の持続時間が、前記ＡＳＹＮＣ  ＦＤＤ  ＬＴＥネイバー・セルの前記ＰＳＳ処理の前記持続時間よりも小さい請求項６に記載の方法。
【請求項８】
サービング・セルの基準信号受信電力（ＲＳＲＰ）が前記サービング・セルの所定のしきい値よりも小さいと判断することと、
少なくとも１つのネイバー・セルのＲＳＲＰが前記少なくとも１つのネイバー・セルの所定のしきい値よりも小さいと判断することと、
前記第１のサイクル中に前記モバイル・デバイスの前記トランシーバを前記オン状態に切り替えることと、
ネイバー・セル検出を実行することと、
をさらに備える請求項１に記載の方法。
【請求項９】
ネイバー・セルが所定の絶対基準信号受信電力（ＲＳＲＰ）しきい値と相対ＲＳＲＰしきい値とを満たすと判断することと、
前記ネイバー・セルのネイバーページング信号を受信するより前に前記モバイル・デバイスの前記トランシーバを前記オン状態に切り替えることと、
前記ネイバーページング信号の時間領域（ＴＤ）サンプル・キャプチャを実行することと、
前記モバイル・デバイスの前記トランシーバを前記オフ状態に切り替えることと、
ネイバーブロードキャストチャネル（ＮＢＣＨ）処理を初期化することと、
をさらに備える請求項１に記載の方法。
【請求項１０】
サービング・セルの基準信号受信電力（ＲＳＲＰ）が前記サービング・セルの所定のしきい値よりも小さいと判断することと、
前記第１のサイクル中に前記モバイル・デバイスの前記トランシーバを前記オン状態に切り替えることと、
前記トランシーバを無線アクセス技術（ＲＡＴ）周波数に同調させることと、
インターＲＡＴ測定を実行することと、
をさらに備える請求項１に記載の方法。
【請求項１１】
少なくとも１つの高優先度セルのインター無線アクセス技術（インターＲＡＴ）測定タイマーが満了したと判断することと、
前記第１のサイクル中に前記モバイル・デバイスの前記トランシーバを前記オン状態に切り替えることと、
前記トランシーバを無線アクセス技術周波数に同調させることと、
インターＲＡＴ測定を実行することと、
をさらに備える請求項１に記載の方法。
【請求項１２】
サービング・セルの基準信号受信電力（ＲＳＲＰ）が前記サービング・セルの所定のしきい値よりも小さいと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
をさらに備える請求項１に記載の方法。
【請求項１３】
少なくとも１つの高優先度セルの周波数間測定タイマーが満了したと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
をさらに備える請求項１に記載の方法。
【請求項１４】
第１のサイクル中に第１のページング信号を受信するように構成されたトランシーバと、
メモリと、
不連続受信（ＤＲＸ）サイクルごとに、前記トランシーバをオン状態に切り替えることと、前記受信した第１のページング信号を前記メモリに記憶することと、前記第１のページング信号が前記メモリに記憶された後に前記トランシーバをオフ状態に切り替えることと、前記トランシーバが前記オフ状態にある間に前記記憶された第１のページング信号を処理することとを行うように構成されたプロセッサであって、前記プロセッサはさらに、前記第１のページング信号に対してＤＲＸ処理を実行することと、前記処理に基づいてオンライン・モードに入るべきかどうかを判断することとを行うように構成された、プロセッサと、
を備えるワイヤレス通信装置。
【請求項１５】
前記プロセッサが、前記第１のページング信号のパイロット信号の強度を測定することと、前記測定に基づいて前記トランシーバをオン状態に切り替えるべきかどうかを判断することとを行うようにさらに構成された、請求項１４に記載のワイヤレス通信装置。
【請求項１６】
前記プロセッサが、前記測定されたパイロット信号の前記強度が所定のしきい値を超えない場合、代替システムの探索を行うようにさらに構成された、請求項１５に記載のワイヤレス通信装置。
【請求項１７】
前記代替システムが、データ最適化（ＤＯ）システム、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システム、またはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）である請求項１６に記載のワイヤレス通信装置。
【請求項１８】
前記プロセッサが、
前記第１のサイクル中に、第２のサイクル中にオンライン・モードに入ると判断することと、
前記メモリをオフライン動作モードからオンライン動作モードに再構成することと、
前記第２のサイクル中に前記オンライン・モードに入ることと、
を行うようにさらに構成される請求項１４に記載のワイヤレス通信装置。
【請求項１９】
前記プロセッサが、
前記第２のサイクル中にネイバー・セルを検出することであって、前記ネイバー・セルが、非同期（ＡＳＹＮＣ）周波数分割複信（ＦＤＤ）ロングタームエボリューション（ＬＴＥ）ネイバー・セル、同期（ＳＹＮＣ）ＦＤＤ  ＬＴＥネイバー・セル、またはＳＹＮＣ時分割複信（ＴＤＤ）ＬＴＥネイバー・セルである、検出することと、
前記トランシーバが前記オン状態にある間に前記ネイバー・セルに対して１次同期信号（ＰＳＳ）処理を実行することと、
前記トランシーバが前記オフ状態にある間に前記ネイバー・セルに対して２次同期信号（ＳＳＳ）処理を実行することと、
を行うようにさらに構成される請求項１８に記載のワイヤレス通信装置。
【請求項２０】
前記ＳＹＮＣ  ＦＤＤ  ＬＴＥネイバー・セルおよび前記ＳＹＮＣ  ＴＤＤ  ＬＴＥネイバー・セルの前記ＰＳＳ処理の持続時間が、前記ＡＳＹＮＣ  ＦＤＤ  ＬＴＥネイバー・セルの前記ＰＳＳ処理の前記持続時間よりも少ない請求項１９に記載のワイヤレス通信装置。
【請求項２１】
前記プロセッサが、
サービング・セルの基準信号受信電力（ＲＳＲＰ）が前記サービング・セルの所定のしきい値よりも小さいと判断することと、
少なくとも１つのネイバー・セルのＲＳＲＰが前記少なくとも１つのネイバー・セルの所定のしきい値よりも小さいと判断することと、
前記第１のサイクル中に前記モバイル・デバイスの前記トランシーバを前記オン状態に切り替えることと、
ネイバー・セル検出を実行することと、
を行うようにさらに構成される請求項１４に記載のワイヤレス通信装置。
【請求項２２】
前記プロセッサが、
ネイバー・セルが所定の絶対基準信号受信電力（ＲＳＲＰ）しきい値と相対ＲＳＲＰしきい値とを満たすと判断することと、
前記ネイバー・セルのネイバーページング信号を受信するより前に前記モバイル・デバイスの前記トランシーバを前記オン状態に切り替えることと、
前記ネイバーページング信号の時間領域（ＴＤ）サンプル・キャプチャを実行することと、
前記モバイル・デバイスの前記トランシーバを前記オフ状態に切り替えることと、
ネイバーブロードキャストチャネル（ＮＢＣＨ）処理を初期化することと、
を行うようにさらに構成される請求項１４に記載のワイヤレス通信装置。
【請求項２３】
前記プロセッサが、
サービング・セルの基準信号受信電力（ＲＳＲＰ）が前記サービング・セルの所定のしきい値よりも小さいと判断することと、
前記第１のサイクル中に前記モバイル・デバイスの前記トランシーバを前記オン状態に切り替えることと、
前記トランシーバを無線アクセス技術（ＲＡＴ）周波数に同調させることと、
インターＲＡＴ測定を実行することと、
を行うようにさらに構成される請求項１４に記載のワイヤレス通信装置。
【請求項２４】
前記プロセッサが、
少なくとも１つの高優先度セルのインター無線アクセス技術（インターＲＡＴ）測定タイマーが満了したと判断することと、
前記第１のサイクル中に前記モバイル・デバイスの前記トランシーバを前記オン状態に切り替えることと、
前記トランシーバを無線アクセス技術周波数に同調させることと、
インターＲＡＴ測定を実行することと、
を行うようにさらに構成される請求項１４に記載のワイヤレス通信装置。
【請求項２５】
前記プロセッサが、
サービング・セルの基準信号受信電力（ＲＳＲＰ）が前記サービング・セルの所定のしきい値よりも小さいと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと
を行うようにさらに構成される請求項１４に記載のワイヤレス通信装置。
【請求項２６】
前記プロセッサが、
少なくとも１つの高優先度セルの周波数間測定タイマーが満了したと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
を行うようにさらに構成される請求項１４に記載のワイヤレス通信装置。
【請求項２７】
不連続受信（ＤＲＸ）サイクルごとにモバイル・デバイスのトランシーバをオン状態に切り替えるための手段と、
第１のサイクル中に前記トランシーバを介して第１のページング信号を受信するための手段と、
前記受信した第１のページング信号を前記モバイル・デバイスのメモリに記憶するための手段と、
前記トランシーバをオフ状態に切り替えるための手段と、
前記トランシーバが前記オフ状態にある間に前記記憶された第１のページング信号を処理するための手段であって、前記処理する手段は、前記第１のページング信号をＤＲＸ処理するための手段を備える、処理するための手段と、
処理するための前記手段に基づいてオンライン・モードに入るべきかどうかを判断するための手段と、
を備える装置。
【請求項２８】
コンピュータに、
不連続受信（ＤＲＸ）サイクルごとにモバイル・デバイスのトランシーバをオン状態に切り替える手順と、
第１のサイクル中に前記トランシーバを介して第１のページング信号を受信する手順と、
前記受信した第１のページング信号を前記モバイル・デバイスのメモリに記憶する手順と、
前記トランシーバをオフ状態に切り替える手順と、
前記トランシーバが前記オフ状態にある間に前記記憶された第１のページング信号を処理する手順であって、前記処理する手順は、前記第１のページング信号をＤＲＸ処理する手順を備える、処理する手順と、
前記処理に基づいてオンライン・モードに入るべきかどうかを判断する手順と、
を実行させるためのプログラム。
【請求項２９】
不連続受信（ＤＲＸ）サイクルごとにモバイル・デバイスのトランシーバをオン状態に切り替えることと、
第１のサイクル中に前記トランシーバを介して第１のページング信号を受信することと、
前記受信した第１のページング信号を前記モバイル・デバイスのメモリに記憶することと、
前記トランシーバをオフ状態に切り替えることと、
前記トランシーバが前記オフ状態にある間に前記記憶された第１のページング信号を処理することであって、前記処理することは、前記第１のページング信号をＤＲＸ処理することを備える、処理することと、
前記処理に基づいてオンライン・モードに入るべきかどうかを判断することと、
を行うように構成された少なくとも１つのプロセッサ、
を備えるワイヤレス通信装置。
【発明の詳細な説明】
【技術分野】
【０００１】
以下の説明は、一般に、ワイヤレス通信に関し、より詳細には、セルラー・システムにおけるオフライン不連続受信（ＤＲＸ）処理に関する。
【背景技術】
【０００２】
ワイヤレス通信システムは、ボイス、データなど様々なタイプの通信コンテンツを提供するために広く展開されている。これらのシステムは、利用可能なシステム・リソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
概して、ワイヤレス多元接続通信システムは、複数のワイヤレス端末（たとえば、アクセス端末、移動局、モバイル・デバイス、ユーザ機器（ＵＥ））のための通信を同時にサポートすることができる。各端末は、順方向リンクおよび逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。通信リンクは、単入力単出力、多入力単出力、または多入力多出力（ＭＩＭＯ）システムを介して確立され得る。
【０００４】
通信システムにおいて、ネットワークは、いくつかの基地局からなり、各基地局は、それのそれぞれのエリア（たとえば、セル）をカバーし、１つまたは複数のモバイル・デバイスと通信する。着信ボイスまたはデータ呼があったとき、モバイル・デバイスが存在する可能性があるとネットワークが判断した基地局のセットから、ページング・メッセージが送られる。
【０００５】
従来のページング手順では、そのページング・メッセージを伝達するために２つの信号が使用される。物理ダウンリンク制御チャネル（ＰＤＣＣＨ）を介して送信される第１のページング信号は、そのページング・メッセージが特定のモバイル・デバイスに送信されているのか、またはモバイル・デバイスのグループに送信されているのかを示すために使用される。物理ダウンリンク共有チャネル（ＰＤＳＣＨ）を介して送信される第２のページング信号は、特定のモバイル・デバイスまたはモバイル・デバイスのグループのための（１つまたは複数の）ページング・メッセージ（たとえば、ページ・ペイロード）を搬送する。第１のページング信号と第２のページング信号は同じサブフレーム（たとえば、ページング・オケージョン）中で送信され得る。
【０００６】
一般に、モバイル・デバイスは、オンにされている間、ならびに基地局を介して基地局および／または他のモバイル・デバイスと通信する期間中に、電力（たとえば、バッテリー電力）を利用する。モバイル・デバイスによって消費される電力量は、モバイル・デバイスの構成および／またはモバイル・デバイスによって実行されている機能（たとえば、動作）に部分的に依存し得る。モバイル・デバイスによって利用される電力量を低減することは、モバイル・デバイスの全体的なパフォーマンスの改善に加えて、バッテリー寿命の延長、モバイル・デバイスおよびバッテリーを使用するコストの低減をもたらし得るので、そのような低減が望ましい
典型的なモバイル・デバイスは、電力消費量を低減するために不連続受信（ＤＲＸ）をアイドルモードで使用する。ＤＲＸが使用されるとき、モバイル・デバイスは、ＤＲＸサイクルごとに１つのページング・サブフレーム（たとえば、ページング・オケージョン）においてのみ第１のページング信号を監視する。コアネットワークは、通常、モバイル端末がいつＤＲＸサイクル内で第１のページング信号を監視しているかについて知っている。したがって、ネットワークは、特定のモバイル端末をページングしようとする場合、モバイル端末がページング・チャネルを監視している時間に第１のページング信号を送る。モバイル端末は、第１のページング信号中にページングされなかった場合、アイドルモードに戻る。他の場合、モバイル端末は第２のページング信号を読み取る。
【０００７】
一般に、ＤＲＸを実装するモバイル・デバイスは、受信されたページングが受信モバイル・デバイスを対象としているのか、または何らかの他のデバイスを対象としているのかを判断するのに必要な復号および処理を効果的に実行するために、トランシーバをオンラインにし、オンラインに維持する必要がある。しかしながら、この時間中に、モバイル・デバイスのトランシーバは、かなりの量のバッテリー電力を消費し得る。したがって、モバイル・デバイスが、必要なＤＲＸ処理をアイドルモードで実行しながら、できる限り迅速に時間領域（ＴＤ）サンプル（たとえば、ページング・サブフレーム）をキャプチャし、トランシーバを停止することを可能にするシステム構成が必要である。これにより、ＤＲＸ処理中の電流消費量が低下し、その結果、著しいアイドルモード電流の節約が可能になるであろう。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００９】
本開示の一態様によれば、信号を処理するための方法は、モバイル・デバイスのトランシーバをオン状態に切り替えることと、第１のサイクル中にトランシーバを介して第１のページング信号を受信することと、受信した第１のページング信号をモバイル・デバイスのメモリに記憶することと、トランシーバをオフ状態に切り替えることと、トランシーバがオフ状態にある間に記憶された第１のページング信号を処理することと、処理に基づいてオンライン・モードに入るべきかどうかを判断することとを含む。
【００１０】
本開示の別の態様によれば、ワイヤレス通信装置は、第１のサイクル中に第１のページング信号を受信するように構成されたトランシーバと、メモリと、受信した第１のページング信号をメモリに記憶することと、第１のページング信号がメモリに記憶された後にトランシーバをオフ状態に切り替えることと、トランシーバがオフ状態にある間に記憶された第１のページング信号を処理することと、処理に基づいてオンライン・モードに入るべきかどうかを判断することとを行うように構成されたプロセッサとを含む。
【００１１】
本開示のさらなる態様によれば、装置は、モバイル・デバイスのトランシーバをオン状態に切り替えるための手段と、第１のサイクル中にトランシーバを介して第１のページング信号を受信するための手段と、受信した第１のページング信号をモバイル・デバイスのメモリに記憶するための手段と、トランシーバをオフ状態に切り替えるための手段と、トランシーバがオフ状態にある間に記憶された第１のページング信号を処理するための手段と、処理に基づいてオンライン・モードに入るべきかどうかを判断するための手段とを含む。
【００１２】
本開示のまたさらなる態様によれば、コンピュータ・プログラム製品は、コンピュータに、モバイル・デバイスのトランシーバをオン状態に切り替えさせるための第１のコードセットと、コンピュータに、第１のサイクル中にトランシーバを介して第１のページング信号を受信させるための第２のコードセットと、コンピュータに、受信した第１のページング信号をモバイル・デバイスのメモリに記憶させるための第３のコードセットと、コンピュータに、前記トランシーバをオフ状態に切り替えさせるための第４のコードセットと、コンピュータに、トランシーバがオフ状態にある間に記憶された第１のページング信号を処理させるための第５のコードセットと、コンピュータに、処理に基づいてオンライン・モードに入るべきかどうかを判断させるための第６のコードセットとを含む。
【００１３】
本開示のまたさらなる態様によれば、ワイヤレス通信装置は、モバイル・デバイスのトランシーバをオン状態に切り替えることと、第１のサイクル中にトランシーバを介して第１のページング信号を受信することと、受信した第１のページング信号をモバイル・デバイスのメモリに記憶することと、トランシーバをオフ状態に切り替えることと、トランシーバがオフ状態にある間に記憶された第１のページング信号を処理することと、処理に基づいてオンライン・モードに入るべきかどうかを判断することと、を行うように構成された少なくとも１つのプロセッサを含む。
【００１４】
上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。添付の図面とともに以下に説明する開示する態様は、開示する態様を限定するためではなく、開示する態様を例示するために与えられ、同様の表示は同様の要素を示す。
【図面の簡単な説明】
【００１５】
【図１】本明細書に記載する様々な態様によるワイヤレス通信システムの図。
【図２】オフラインＤＲＸ処理を可能にすることができる例示的なシステムのブロック図。
【図３】例示的なＤＲＸプロセッサのブロック図。
【図４】サービング・サンプルのためのＤＲＸプロセスの例示的な補正モジュールのブロック図。
【図５】ネイバー・サンプルのためのＤＲＸプロセスの例示的な補正モジュールのブロック図。
【図６】オフラインＤＲＸプロセスにおけるオンライン・ステージの一例を示すフローチャート。
【図７】サービング・セル処理の一例を示すフローチャート。
【図８】ネイバー・セル処理の一例を示すフローチャート。
【図９】オンライン処理がトリガされ得る様々なシナリオの例を示すフローチャート。
【図１０】オンライン処理がトリガされ得る様々なシナリオの例を示すフローチャート。
【図１１】オフラインＤＲＸプロセス中に実行される例示的な処理イベントのタイムライン。
【図１２】オフラインＤＲＸプロセス中に実行される例示的な処理イベントの別のタイムライン。
【図１３】オフラインＤＲＸプロセス中に実行される例示的な処理イベントのさらに別のタイムライン。
【図１４】オフラインＤＲＸプロセス中に実行される例示的な処理イベントのさらに別のタイムライン。
【図１５】オンラインＤＲＸプロセスにおけるオンライン・ステージの一例を示すフローチャート。
【図１６】オンラインＤＲＸプロセス中に実行される例示的な処理イベントのタイムライン。
【図１７】オンラインＤＲＸプロセス状態およびオフラインＤＲＸプロセス状態を例示する状態機械図。
【図１８】本明細書で説明する様々なオフラインＤＲＸ処理機構を実装するための例示的な通信システムのブロック図。
【図１９】オフラインＤＲＸ処理を実行する例示的なシステムの図。
【発明を実施するための形態】
【００１６】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００１７】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータであり得るが、これらに限定されない。例として、コンピューティング・デバイス上で実行されるアプリケーションと、そのコンピューティング・デバイスの両方を構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカル・システム、分散システム、および／または他のシステムを用いるインターネットなどのネットワーク全体の中の別の構成要素と信号を介して対話する１つの構成要素からのデータなど、１つまたは複数のデータ・パケットを有する信号によるなど、ローカル・プロセスおよび／またはリモート・プロセスを介して通信し得る。
【００１８】
さらに、本明細書では、ワイヤード端末またはワイヤレス端末であり得る端末に関する様々な態様について説明する。端末は、システム、デバイス、加入者ユニット、加入者局、移動局、モバイル、モバイル・デバイス、リモート局、リモート端末、アクセス端末、ユーザ端末、端末、通信デバイス、ユーザ・エージェント、ユーザ・デバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレス・ローカル・ループ（ＷＬＬ）局、携帯情報端末（ＰＤＡ）、ワイヤレス接続機能を有するハンドヘルド・デバイス、コンピューティング・デバイス、またはワイヤレス・モデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００１９】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２０】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、追加として、不対無認可スペクトル、８０２．ｘｘワイヤレスＬＡＮ、ＢＬＵＥＴＯＯＴＨ（登録商標）および他の短距離または長距離ワイヤレス通信技法をしばしば使用するピア・ツー・ピア（たとえば、モバイル間）アドホック・ネットワーク・システムを含み得る。
【００２１】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２２】
次に図１を参照すると、本明細書で提示する様々な態様によるワイヤレス通信システム１００が示されている。システム１００は、複数のアンテナ・グループを含むことができる基地局１０２を備える。たとえば、１つのアンテナ・グループはアンテナ１０４および１０６を含み、別のグループはアンテナ１０８および１１０を備え、さらなるグループはアンテナ１１２および１１４を含むことができる。アンテナ・グループごとに２つのアンテナが示されているが、グループごとにより多いまたはより少ないアンテナが利用され得る。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００２３】
基地局１０２は、モバイル・デバイス１１６およびモバイル・デバイス１２２など１つまたは複数のモバイル・デバイスと通信することができるが、基地局１０２は、モバイル・デバイス１１６および１２２と同様の実質的にいかなる数のモバイル・デバイスとも通信することができることを諒解されたい。モバイル・デバイス１１６および１２２は、たとえば、セルラー電話、スマートフォン、ラップトップ、ハンドヘルド通信デバイス、ハンドヘルド・コンピューティング・デバイス、衛星ラジオ、全地球測位システム、ＰＤＡ、および／またはワイヤレス通信システム１００を介して通信するための他の適切なデバイスとすることができる。図示のように、モバイル・デバイス１１６は、アンテナ１１２および１１４と通信しており、アンテナ１１２および１１４は、順方向リンク１１８を介して情報をモバイル・デバイス１１６に送信し、逆方向リンク１２０を介してモバイル・デバイス１１６から情報を受信する。さらに、モバイル・デバイス１２２はアンテナ１０４および１０６と通信しており、アンテナ１０４および１０６は、順方向リンク１２４を介して情報をモバイル・デバイス１２２に送信し、逆方向リンク１２６を介してモバイル・デバイス１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を採用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００２４】
アンテナの各グループおよび／またはそれらが通信するように指定されたエリアは、基地局１０２のセクタと呼ばれることがある。たとえば、基地局１０２によってカバーされるエリアのセクタ中のモバイル・デバイス（たとえば、１１６）に通信するようにアンテナ・グループを設計することができる。順方向リンク１１８および１２４を介した通信では、基地局１０２の送信アンテナは、モバイル・デバイス１１６および１２２についての順方向リンク１１８および１２４の信号対雑音比を向上させるためにビーム・フォーミングを利用することができる。さらに、基地局１０２が、関連するカバレージ中に不規則に散在するモバイル・デバイス１１６および１２２に送信するためにビーム・フォーミングを利用する間は、基地局が単一のアンテナを介してその基地局のすべてのモバイル・デバイスに送信する場合と比較して、隣接セル内のモバイル・デバイスは干渉を受けにくい。
【００２５】
一態様によれば、モバイル・デバイス（たとえば、１１６）が、それがＤＲＸ処理をオフラインで実行することができるように構成され得る。ＤＲＸ処理をオフラインで実行するために、モバイル・デバイス１１６は、周波数分割複信（ＦＤＤ）ならびに時分割複信（ＴＤＤ）に適用可能である以下の要件、すなわち、（１）モバイル・デバイスがＤＲＸサイクルごとに１つのページング・フレームを監視する必要があり得ること、（２）各ページング・フレーム内で、モバイル・デバイスが１つのページング・サブフレームを監視する必要があり得ること、（３）そのページング・サブフレーム内で、モバイル・デバイスが１つの一意のページンググループ無線ネットワーク一時識別子（Ｐ−ＲＮＴＩ）をもつ物理ダウンリンク制御チャネル（ＰＤＣＣＨ）を監視する必要があり得ること、（４）モバイル・デバイスがページングされた（ＰＤＣＣＨが成功した）場合、その同じページング・サブフレーム上の物理ダウンリンク共有チャネル（ＰＤＳＣＨ）がページ情報を搬送すること、（５）サービング・セルのセル適合性検査（Ｓ−基準）評価を実行すること、（６）周期的ネイバー・セル検出および／またはトリガされたネイバー・セル検出を実行すること、（７）測定しきい値に基づいてネイバー・セルの測定を実行し、必要に応じてセル再選択評価を実行すること、（８）必要に応じてネイバー・パケット・ブロードキャスト・チャネル（ＰＢＣＨ）復号を実行すること、（９）モバイル・デバイスが、ＴＤＤの場合にＭｕｌｔｉ−Ｍｅｄｉａ  Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ（ＭＢＳＦＮ）サブフレームまたはアップリンク（ＵＬ）サブフレームに遭遇した場合に特殊な処理を行うこと、を満たすように構成される必要があり得る。
【００２６】
さらに、モバイル・デバイスは、３ＧＰＰ  ＬＴＥリリース８設計仕様、ならびに特定の性能要件に基づく設計仕様に従ってＴＤサンプル・サーバおよびＦＤサンプル・サーバを再構成するために十分な量のメモリをサポートするように構成され得る。ページング・タイムラインを満たすために、Ｐ−ＲＮＴＩを搬送するＰＤＣＣＨと実際のページ・ペイロードを搬送するＰＤＳＣＨとは同じページング・サブフレーム上で送信されることが必要とされ得る。これにより、モバイル・デバイスは、ページング・サブフレームをカバーする約１ｍｓのＴＤサンプルに基づいてオフラインＤＲＸ処理を実行することが可能になる。モバイル・デバイスはまた、検出された周波数内ネイバー・セルのすべてを測定するように構成され得る。
【００２７】
図２は、オフラインＤＲＸ処理を可能にすることができるシステム２００のブロック図である。図示のように、システム２００は、モバイル・デバイス２０２と、サービング・セル基地局２０４と、ネイバー・セル基地局２０６とを含み得る。サービング基地局２０４およびネイバー・セル基地局２０６の各々はモバイル・デバイス２０２と通信し得る。モバイル・デバイス２０２は、ＲＦトランシーバ２０８と、ＤＲＸプロセッサ２１０と、サービング・セル・メモリ２１２と、ネイバー・セル・メモリ２１４とを含み得る。モバイル・デバイス２０２は、オフラインＤＲＸ処理を実行するように構成され得る。
【００２８】
モバイル・デバイス２０２は、サービング・セル基地局２０４とネイバー・セル基地局２０６の両方から送信された情報、信号、データ、命令、コマンド、ビット、シンボルなどを受信することができる。ＲＦトランシーバ２０８は、そのような信号を受信することなどを行うように構成され得る。たとえば、ＲＦトランシーバ２０８は、受信アンテナ（図示せず）から信号を受信し、受信信号に対して典型的なアクション（たとえば、フィルタ処理、増幅、ダウン・コンバート、復調）を実行し、信号をデジタル化して、サンプルを取得し得る。ＤＲＸプロセッサ２１０は、モバイル・デバイス２０２がオフラインである間のＤＲＸ処理を可能にする。モバイル・デバイス２０２がアイドル状態にある間、ＲＦトランシーバ２０８は、バッテリー電力を消費しないようにオフであり得る。ＤＲＸサイクルごとに、ＲＦトランシーバ２０８は、サービング・セル基地局２０４およびネイバー・セル基地局２０６によって送信された時間領域（ＴＤ）サンプルをキャプチャするために起動し得る。ＲＦトランシーバがサンプルをキャプチャし、記憶のためにサンプルをデジタル形態に変換するための処理を実行すると、ＤＲＸプロセッサ２１０は、キャプチャされたサンプルをメモリに記憶する。詳細には、サービング・セル基地局２０４からのサンプルは、サービング・セル・メモリ２１２に記憶され得、ネイバー・セル基地局２０６からのサンプルは、ネイバー・セル・メモリ２１４に記憶され得る。サービング・セル・メモリ２１２およびネイバー・セル・メモリ２１４は、ＤＲＸプロセッサ２１０から物理的に別個の構成要素であり得るか、またはバッファの形態でＤＲＸプロセッサアーキテクチャに一体化され得ることに留意されたい。サンプルがキャプチャされ、それらのそれぞれのメモリに記憶されると、ＲＦトランシーバは、追加の電流を消費しないように停止し得る（すなわち、オフラインになり得る）。この時点で、ＤＲＸプロセッサ２１０は、オンラインのままであり、続いて、キャプチャされたサンプルが、モバイル・デバイス２０２に向けられたページング信号であるかどうかを判断し、そうであればページング信号のペイロードを復調するために必要な処理を実行する。
【００２９】
図３は、図２のＤＲＸプロセッサ２１０のブロック図である。図２に示すように、ＤＲＸプロセッサ２１０は、それぞれ図２のサービング・セル・メモリ２１２およびネイバー・セル・メモリ２１４に対応し得るサービング・セル・バッファ３０４およびネイバー・セル・バッファ３０６に結合されたダウン・サンプラ３０２を含み得る。ＤＲＸプロセッサ２１０は、補正モジュール３０８と、シンボル・バッファ３１０と、復調器３１２と、チャネルおよび雑音推定器３１４と、それ自体がＰＤＣＣＨデコーダ３１８およびＰＤＳＣＨデコーダ３２０を含み得るデコーダ３１６とをさらに含み得る。
【００３０】
動作中、ＤＲＸプロセッサ２１０が信号を受信するとき、信号はダウン・サンプラ３０２に送信され得る。ダウン・サンプラ３０２は、受信信号を最適化するために特定の周波数において信号をサンプリングするように構成され得る。次いで、ダウン・サンプリングされた信号は、サンプルがサービング・セル基地局２０４からのものであるのか、またはネイバー・セル基地局２０６からのものであるのかに応じて、サービング・セル・バッファ３０４またはネイバー・セル・バッファ３０６のいずれかに送信され、その中にキャプチャされ得る。この差異は、それぞれのセルの異なる帯域幅によって特徴づけられる。サンプルは、少なくともそれぞれのセルの帯域幅の速度でキャプチャされる。サービング・セル基地局２０４の帯域幅は、一般に知られていて、たとえば、１．９２ＭＨｚから３０．７２ＭＨｚの範囲にあることができる。サービング・セル基地局２０４からのあらゆる信号サンプルは、サービング・セル基地局２０４の特定の帯域幅に対応する周波数でキャプチャされる。キャプチャされたサービング・サンプルは、次いで、サービング・セル・バッファ３０４に記憶される。ネイバー・セルの帯域幅は未知であり得るので、ネイバー・セル基地局２０６からの信号サンプルは、特定の周波数で、たとえば、少なくとも１．９２ＭＨｚでキャプチャされる。ネイバー・セル・サンプルは、次いで、ネイバー・セル・バッファ３０６に記憶され得る。ＤＲＸプロセッサ２１０は、たとえば、１ｍｓ〜２ｍｓ相当のサービング・セル・サンプルとネイバー・セル・サンプルとをキャプチャするように構成され得る。このキャプチャ持続時間は、ＤＲＸ処理のパフォーマンス・ゲインとＲＦトランシーバ２０８の電力消費量とを最適化し、それらのバランスをとるために変更され得る。一例として、最適なパフォーマンスのために、ＤＲＸプロセッサ２１０は、１．２ｍｓ相当のセル信号をキャプチャするように構成され得る。
【００３１】
ページング・サブフレームの適切なキャプチャを保証するために、ＤＲＸプロセッサ２１０は、サンプル・キャプチャ持続時間の開始をページング・サブフレームの開始またはページング・サブフレームの少し前と整合させ、キャプチャ持続時間の終了をページング・サブフレームの少し後の時点と整合させるように構成され得る。ページング・サブフレームより前のサブフレームおよびページング・サブフレームの後のサブフレームの数個（たとえば、２個）のシンボルをキャプチャすることにより、ＤＲＸプロセッサ２１０は、ページング・サブフレームをまたぐサブフレームのうちのいずれかがＭｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）サブフレーム、アップリンクＴＤＤサブフレーム、またはブランキングサブフレームであるかどうかを判断することが可能になる。ＤＲＸプロセッサ２１０は、前のサブフレームおよび／または後のサブフレームがＭＢＳＦＮサブフレーム、アップリンクＴＤＤサブフレーム、またはブランキングサブフレームであると判断した場合、その前のサブフレームおよび／または後のサブフレームから追加のシンボルをキャプチャすることを回避し得る。
【００３２】
サービング・セル・バッファ３０４およびネイバー・セル・バッファ３０６の構成は、ＤＲＸ処理パフォーマンスとサービング・セル・サンプルおよびネイバー・セル・サンプルの記憶容量との間の特定のバランスに応じて変動し得る。サービング・セル・バッファ３０４およびネイバー・セル・バッファ３０６は、サービング・セル・サンプルおよびネイバー・セル・サンプルをアイドルモードで記憶すること以外の目的のためにモバイル・デバイス２０２によって利用され得ることに留意されたい。バッファ３０４および３０６は、たとえば、モバイル・デバイス２０２の連続トラフィック動作中に汎用バッファ／メモリとして使用され得る。オフラインＤＲＸ処理中に、バッファ３０４および３０６のメモリは、サービング・セル・サンプルとネイバー・セル・サンプルとをキャプチャし、記憶するために再使用されるように再構成される。このメモリ再使用方式は、オフラインＤＲＸ処理のために追加のメモリを追加することなしに、モバイル・デバイス２０２のメモリリソースのより効率的な割振りを可能にする。バッファ３０４および３０６は、オフラインＤＲＸ処理パフォーマンスとメモリ容量との間の固有のバランスを必要とする特定のシナリオに好適な何らかの方法で再構成され得る。
【００３３】
図３に示すように、サービング・セル・バッファ３０４およびネイバー・セル・バッファ３０６からのそれぞれの出力は、キャプチャされたサービング・セル・サンプルおよびネイバー・セル・サンプルに対して自動利得制御（ＡＧＣ）処理、周波数トラッキング、時間トラッキング、ならびに高速フーリエ変換（ＦＦＴ）を実行し得る補正モジュール３０８に与えられ得る。補正モジュールの実行について、図４および図５を参照しながらより詳細に説明する。
【００３４】
図４および図５に示すように、補正モジュール３０８は、サービング・セル・バッファ３０４およびネイバー・セル・バッファ３０６から出力を受信し、それらに出力を送信する。サービング・サンプルおよびネイバー・サンプルがキャプチャされ、それぞれのバッファ３０４および３０６に記憶された後、補正モジュール３０８は、チャネル推定のためにサービング・サンプルおよびネイバー・サンプルを準備するためにそれらに対して一連の補正を実行するように構成される。これらの補正プロセスは、限定はしないが、ＡＧＣ処理、周波数トラッキング、および時間トラッキングを含む。図４を参照すると、補正モジュール３０８は、キャプチャされたサンプルＳＳ0を受信し得、最初にサンプルＳＳ0に対してＡＧＣ処理を実行し得る。
【００３５】
ＡＧＣ処理は、低雑音増幅器（ＬＮＡ）利得更新およびデジタル可変利得増幅器（ＤＶＧＡ）利得更新の２つのプロセスを含み得る。ＬＮＡ利得更新とＤＶＧＡ利得更新の両方は、キャプチャされたサービング・サンプルに基づいており、高速フーリエ変換エンジン（ＦＦＴＥ）において非プライマリ・ブロードキャスト・チャネル（ＰＢＣＨ）モードのＡＧＣブロックを使用して実装され得る。エネルギー推定値を計算するために使用されるＦＦＴの数は、キャプチャされたサービング・サンプルＳＳ0内のページング・サブフレームの中間１／３ｍｓをカバーする、４に設定され得る。フィルタ処理係数は、瞬時ＬＮＡ利得推定値および瞬時ＤＶＧＡ利得推定値を取得するために０に設定され得る。現在のＤＲＸサイクルＮ中のサービング・サンプルＳＳ0から計算されたＬＮＡ利得推定値は、ＬＮＡ補正係数ＣＦAGCとして記憶され、次のＤＲＸサイクルＮ＋１中にキャプチャされるサービング・サンプルに適用され得る。ただし、サービング・サンプルＳＳ0は、ＤＲＸサイクルＮ−１中に前のサービング・サンプルから導出されたＬＮＡ補正係数ＣＦAGCを用いて処理されることになる。現在のＤＲＸサイクルＮ中のサービング・サンプルＳＳ0から計算されたＤＶＧＡ利得推定値は、ＤＶＧＡ補正係数ＣＦAGCとして記憶され、ＤＲＸサイクルＮの現在のサービング・サンプルＳＳ0に適用され得る。ＡＧＣ処理を受けた後、サービング・サンプルは、更新されたサービング・サンプルＳＳ1としてサービング・セル・バッファ３０４に返信されることになる。
【００３６】
ＡＧＣ処理が完了すると、補正モジュール３０８は、更新されたサービング・サンプルＳＳ1を取り出し、周波数トラッキング（たとえば、回転角度推定）を介してそれの周波数誤差を推定することになる。このプロセスは、共同ループ（たとえば、外部ループと内部ループの組合せ）を実行することを含み得る。各ループの適切な重み付けは、ＤＲＸサイクル長、基準信号受信電力（ＲＳＲＰ）などに応じて判断され得る。ＲＳＲＰ測定値は、キャプチャされたサービング・サンプルに基づいて時間領域チャネルインパルス応答（ＣＩＲ）エネルギーから導出され得ることに留意されたい。周波数更新は、更新されたサービング・サンプルＳＳ1に基づいており、ＤＶＧＡ利得推定値が計算された後に実行され得、したがって、周波数誤差のより正確な推定値のためにＤＶＧＡ利得推定値を利用し得る。現在のＤＲＸサイクルＮ中のサービング・サンプルＳＳ1から計算された周波数誤差は、補正係数ＣＦFTとして記憶され、ＤＲＸサイクルＮ中にサービング・サンプルＳＳ1に適用され得る。周波数トラッキング・プロセスを受けた後、サービング・サンプルは、更新されたサービング・サンプルＳＳ2としてサービング・セル・バッファ３０４に返信されることになる。
【００３７】
周波数トラッキング・プロセスが完了すると、補正モジュール３０８は、更新されたサービング・サンプルＳＳ2を取り出し、時間トラッキングを介してそれのタイミング・エラーを推定することになる。このプロセスはまた、共同ループを実行することを含み得る。各ループの適切な重み付けは、ＤＲＸサイクル長、ＲＳＲＰなどに応じて判断され得る。このタイミング更新は、更新されたサービング・サンプルＳＳ2に基づいており、周波数誤差が計算された後に実行され得、したがって、タイミング・エラーのより正確な推定値のために周波数誤差を利用し得る。サービング・サンプルＳＳ2から計算されたタイミング・エラーは、補正係数ＣＦTTとして記憶され得る。補正係数ＣＦTTが現在のＤＲＸサイクルＮ中のサービング・サンプルＳＳ2に適用されるのか、または次のＤＲＸサイクルＮ＋１中のサービング・サンプルＳＳ2に適用されるのかは、サービング・サンプルＳＳ2の計算されたタイミング・エラーが所定のしきい値を超えるかどうかに依存する。特に、サービング・サンプルＳＳ2の計算されたタイミング・エラーがしきい値を超えた場合、補正係数ＣＦTTは、現在のＤＲＸサイクルＮ中のサービング・サンプルＳＳ2に適用される。一方、サービング・サンプルＳＳ2の計算されたタイミング・エラーがしきい値以下であった場合、補正係数ＣＦTTは、次のＤＲＸサイクルＮ＋１中のサービング・サンプルＳＳ2に適用される。したがって、サービング・サンプルＳＳ2は、同じＤＲＸサイクルＮ中の現在のサービング・サンプルＳＳ2またはＤＲＸサイクルＮ−１中に導出された前のサービング・サンプルから導出された補正係数ＣＦTTを用いて処理され得る。どちらにしても、時間トラッキング・プロセスを受けた後、サービング・サンプルは、最終補正サービング・サンプルＳＳ3としてサービング・セル・バッファ３０４に返信されることになる。最終補正サービング・サンプルＳＳ3は、次いで、サービング・セル・バッファ３０４からシンボル・バッファ３１０にフォワーディングされ得るか、または代替的に、チャネル推定および復調のために補正モジュール３０８からシンボル・バッファ３１０に直接送信され得る。
【００３８】
図５に示すように、補正モジュール３０８は、図４に関して説明したようにサービング・サンプルＳＳ0の処理と同様の方法で、キャプチャされたネイバー・サンプルＮＳ0を処理し得る。ネイバー・サンプル処理とサービング・サンプル処理との違いは、ネイバー・サンプルＮＳ0のＡＧＣ処理は、新しい補正係数ＣＦAGCの計算を含まないが、現在のＤＲＸサイクルＮ中のサービング・サンプルＳＳ0について計算された補正係数ＣＦAGCを使用して、ネイバー・サンプルＮＳ0に対してＬＮＡ利得更新処理およびＤＶＧＡ利得更新処理を実行することにある。
【００３９】
補正モジュール３０８の出力は、復調器３１２とチャネルおよび雑音推定器３１４とに送信するためのＯＦＤＭシンボルを記憶するように構成され得るシンボル・バッファ３１０に供給され得る。推定器３１４は、シンボル・バッファ３１０の出力を受信し、受信したパイロット信号を使用してチャネル品質および雑音を推定し、得られた信号を復調器３１２に出力するように構成され得る。タイミング補正が現在のＤＲＸサイクルＮ中に実行された場合、チャネル品質および雑音推定は２回実行され得ることに留意されたい。復調器３１２は、推定器３１４からの出力に基づいて、ＰＤＣＣＨチャネル上で受信されたページング信号と、ＰＤＳＣＨチャネル上で受信されたページング信号とを別々に復調するように構成され得る。復調器３１２は、次いで、復調されたＰＤＣＣＨ信号およびＰＤＳＣＨ信号をそれぞれＰＤＣＣＨデコーダ３１８およびＰＤＳＣＨデコーダ３２０に送信し得る。デコーダ３１８および３２０は、ページング信号がモバイル・デバイス２０２に向けられているかどうかと、モバイル・デバイス２０２がオフライン状態からオンライン状態に遷移し、ＲＦトランシーバをアクティブにしなければならないかどうかとを示す符号化されたページング信号を再構成するように構成される。デコーダ３１８および３２０は、次いで、オフラインＤＲＸ処理によって判断された特定の機能を実行するために、復号された信号をモバイル・デバイス２０２の他の処理構成要素に送信し得る。
【００４０】
サービング・セル・バッファ３０４およびネイバー・セル・バッファ３０６を利用するこの方法では、モバイル・デバイス２０２は、オフラインでおよび効率的な方式でＤＲＸ処理（たとえば、ＡＧＣ処理、周波数トラッキング、時間トラッキング、チャネルおよび雑音推定、復調、および復号）のかなりの部分を実行し得る。
【００４１】
図６は、モバイル・デバイス２０２によって実行され得るオフラインＤＲＸプロセス６００の例を示すフローチャートである。ブロック６０２において、ＤＲＸサイクル長がほぼ経過し、モバイル・デバイス２０２が、依然としてアイドルモードにある間に、ページング信号を監視するために様々な主要構成要素（たとえば、水晶発振器クロック、デジタル処理ブロック、ＲＦトランシーバ２０８、ＤＲＸプロセッサ２１０）を初期化する準備ができているかどうかに関する判断を行う。モバイル・デバイス２０２は、ＤＲＸサイクル長のカウンタとして働き、サンプル・キャプチャ手順の前にモバイル・デバイス２０２を初期化するように構成され得るスリープ・コントローラ（図示せず）を含み得る。ＤＲＸサイクル長にまだ達していない場合、プロセスはそのような時間までループバックする。他の場合、プロセスはブロック６０４に進む。
【００４２】
ブロック６０４において、スリープ・コントローラは、デジタル処理ブロックを実行するために必要なクロック、ＲＦトランシーバ２０８、ＤＲＸプロセッサ２１０、ならびにサービング・セル・バッファ３０４およびネイバー・セル・バッファ３０６など、ＤＲＸ処理を実行するために必要な他の構成要素のすべてを起動し、初期化する。ＤＲＸ処理を実行するために使用されない他のハードウェア構成要素は、スリープ状態のままであり得る。プロセスはブロック６０６に続く。
【００４３】
ブロック６０６において、ＲＦトランシーバ２０８は、予期されたページング信号のキャリア周波数にロックオンし、プロセスはブロック６０８に進む。
【００４４】
ブロック６０８において、ＤＲＸプロセッサ２１０は、サービング・セル・サンプルおよびネイバー・セル・サンプルを記憶するためのメモリ（たとえば、サービング・セル・バッファ３０４およびネイバー・セル・バッファ３０６）を再構成し、続いて、ＲＦトランシーバ２０８を介してサービング・セル・サンプルおよびネイバー・セル・サンプルをキャプチャし、キャプチャされたサンプルをそれぞれのバッファ３０４および３０６に記憶する。次いで、プロセスはブロック６１０に進む。
【００４５】
ブロック６１０において、ＤＲＸプロセッサ２１０は、追加の電流を消費させないようにＲＦトランシーバ２０８をオフにし、プロセスはブロック６１２および６２４に進む。
【００４６】
ブロック６１２において、プロセスは、ＤＲＸプロセッサ２１０を初期化して、サービング・セル・バッファ３０４に記憶されたサービング・セル・サンプルに対してサービング・セル処理を実行する。詳細には、サービング・セル処理は、ＡＧＣ処理、周波数トラッキング、時間トラッキング、チャネル推定、およびＲＳＲＰ測定を含み得る。
【００４７】
図７は、ブロック６１２のサービング・セル処理の詳細を示すフローチャートである。ブロック７０２において、キャプチャされたサービング・セル・サンプルに対してＡＧＣ処理を実行する。図４に関して説明したように、ＡＧＣ処理は、ＬＮＡ利得更新およびＤＶＧＡ利得更新の２つのプロセスを含み得る。たとえば、補正モジュール３０８は、キャプチャされたサービング・サンプルに前のＤＲＸサイクルＮ−１からのＬＮＡ利得更新を適用し、キャプチャされたサービング・サンプルに現在のＤＲＸサイクルＮからのＤＶＧＡ利得更新を適用しながら、ＤＲＸサイクルＮの現在キャプチャされたサービング・サンプルに基づいてＬＮＡ利得更新およびＤＶＧＡ利得更新を計算し得る。次いで、プロセスはブロック７０４に進む。
【００４８】
ブロック７０４において、更新されたサービング・サンプルに周波数トラッキングを適用する。周波数トラッキングは、ＤＲＸサイクルＮの現在更新されたサービング・サンプルに基づいて計算され、同じＤＲＸサイクルＮの更新されたサービング・サンプルに適用され得る。次いで、プロセスはブロック７０６に進む。
【００４９】
ブロック７０６において、更新されたサービング・サンプルに時間トラッキングを適用する。時間トラッキングは、ＤＲＸサイクルＮの現在更新されたサービング・サンプルに基づいて計算され得る。次いで、プロセスはブロック７０８に進む。
【００５０】
ブロック７０８において、ブロック７０６において計算された時間トラッキング更新が所定のしきい値よりも大きいかどうかに関する判断を行う。時間トラッキング更新が所定のしきい値以下であった場合、プロセスはブロック７１０に進む。時間トラッキング更新が所定のしきい値よりも大きい場合、それは有意のタイミング・スキューを示し、プロセスはブロック７１２に進む。
【００５１】
ブロック７１０において、ＤＲＸプロセッサ２１０は第１のチャネル／雑音推定を実行する。詳細には、ＤＲＸプロセッサ２１０は、ＤＲＸサイクルＮ−１中の前のサービング・サンプルから計算された時間トラッキング更新を現在のサービング・サンプルに適用し、ＤＲＸサイクルＮ＋１中の次のサービング・サンプルに適用するために現在のサービング・サンプルから計算された時間トラッキング更新を記憶し得る。さらに、ＤＲＸプロセッサは、広帯域（ＷＢ）チャネル中のすべてのトーンにわたるチャネル推定値を取得するために、ＣＩＲを再計算し、ＷＢチャネル周波数領域（ＦＤ）補間を実行し得る。ＤＲＸプロセッサ２１０はまた、内部ループ時間トラッキング・ループ出力からのリードソロモン（ＲＳ）トーンについてのチャネル推定を使用し、レイリー後方散乱（ＲＢ）ベースの雑音推定値を計算し、ＲＳＲＰを計算し得る。次いで、プロセスはブロック７１４に進む。
【００５２】
ブロック７１２において、ＤＲＸプロセッサ２１０はまた、第２のチャネル／雑音推定を実行する。詳細には、ＤＲＸプロセッサ２１０は、ＤＲＸサイクルＮからの時間トラッキング更新を適用し、ＲＳトーンについてのチャネル推定を実行し、ＦＤ補間を実行してＷＢチャネル推定値を取得し、ＲＢベースの雑音推定値を計算し、ＲＳＲＰを計算し得る。次いで、プロセスはブロック７１４に進む。
【００５３】
ブロック７１４において、ＤＲＸプロセッサは、ＡＧＣプロセスと、周波数トラッキング・プロセスと、時間トラッキング・プロセスとの状態（たとえば、補正係数）を保存し、ブロック６１４に進む。
【００５４】
ブロック６１４において、サービング・サンプルのＰＤＣＣＨページング信号を復調し、プロセスはブロック６１６に進む。ブロック６１６において、ページング信号がモバイル・デバイス２０２に向けられているかどうかに関する判断を行う。ＰＤＣＣＨページング信号がモバイル・デバイス２０２に向けられている場合、プロセスはブロック６１８に進む。他の場合、プロセスはブロック６２８に進む。
【００５５】
ブロック６１８において、サービング・サンプルのＰＤＳＣＨページング信号を復調し、プロセスはブロック６２０に進む。ブロック６２０において、ＰＤＳＣＨページング信号がモバイル・デバイス２０２のためのページング・ペイロードを搬送するかどうかに関する判断を行う。ＰＤＳＣＨがモバイル・デバイス２０２のためのペイロードを含まない場合、ＰＤＳＣＨペイロードはモバイル・デバイス２０２のＲＮＴＩに一致し、プロセスはブロック６２２に進む。他の場合、プロセスはブロック６２８に進む。ブロック６２２において、プロセスは、モバイル・デバイス２０２をオンラインになるようにトリガする。たとえば、復調されたＰＤＳＣＨページング・ペイロードは着信呼を示し得る。それに応じて、ＤＲＸプロセッサ２１０は、着信呼を受信するために、ＲＦトランシーバ２０８とすべての他のデジタル論理ブロックとを起動し得る。ブロック６２２の後、プロセスは終了する。
【００５６】
ブロック６２４において、プロセスは、ＤＲＸプロセッサ２１０を初期化して、ネイバー・セル・バッファ３０６に記憶されたネイバー・セル・サンプルに対してネイバー・セル処理を実行する。詳細には、ネイバー・セル処理は、ＡＧＣ処理、周波数トラッキング、時間トラッキング、チャネル推定、およびＲＳＲＰ測定を含み得る。
【００５７】
図８は、ブロック６２４のネイバー・セル処理の詳細を示すフローチャートである。ブロック８０２において、キャプチャされたネイバー・セル・サンプルに対してＡＧＣ処理を実行する。図５に関して説明したように、ＡＧＣ処理は、ＬＮＡ利得更新およびＤＶＧＡ利得更新の２つのプロセスを含み得る。たとえば、補正モジュール３０８は、サービング・セル処理中に計算されたＬＮＡ利得更新およびＤＶＧＡ利得更新を使用してキャプチャされたネイバー・サンプルを更新し得る。次いで、プロセスはブロック８０４に進む。
【００５８】
ブロック８０４において、更新されたネイバー・サンプルに周波数トラッキングを適用する。周波数トラッキングは、ＤＲＸサイクルＮの現在更新されたネイバー・サンプルに基づいて計算され、同じＤＲＸサイクルＮの更新されたネイバー・サンプルに適用され得る。次いで、プロセスはブロック８０６に進む。
【００５９】
ブロック８０６において、更新されたネイバー・サンプルに時間トラッキングを適用する。時間トラッキングは、ＤＲＸサイクルＮの現在更新されたネイバー・サンプルに基づいて計算され得る。次いで、プロセスはブロック８０８に進む。
【００６０】
ブロック８０８において、ブロック８０６において計算された時間トラッキング更新が所定のしきい値よりも大きいかどうかに関する判断を行う。時間トラッキング更新が所定のしきい値以下であった場合、プロセスはブロック８１０に進む。時間トラッキング更新が所定のしきい値よりも大きい場合、それは有意のタイミング・スキューを示し、プロセスはブロック８１２に進む。
【００６１】
ブロック８１０において、ＤＲＸプロセッサ２１０は第１のチャネル／雑音推定を実行する。詳細には、ＤＲＸプロセッサ２１０は、ＤＲＸサイクルＮ−１中の前のネイバー・サンプルから計算された時間トラッキング更新を現在のネイバー・サンプルに適用し、ＤＲＸサイクルＮ＋１中の次のネイバー・サンプルに適用するために現在のネイバー・サンプルから計算された時間トラッキング更新を記憶し得る。さらに、ＤＲＸプロセッサ２１０は、内部ループ時間トラッキング・ループ出力からのＲＳトーンについてのチャネル推定を使用し、ＲＳＲＰを計算し得る。次いで、プロセスはブロック８１４に進む。
【００６２】
ブロック８１２において、ＤＲＸプロセッサ２１０は、第２のチャネル／雑音推定を実行する。詳細には、ＤＲＸプロセッサ２１０は、ＤＲＸサイクルＮからの時間トラッキング更新を適用し、ＲＳトーンについてのチャネル推定を実行し、ＲＳＲＰを計算し得る。次いで、プロセスはブロック８１４に進む。
【００６３】
ブロック８１４において、ＤＲＸプロセッサは、周波数トラッキング・プロセスと、時間トラッキング・プロセスとの状態（たとえば、補正係数）を保存し、ブロック６２６に進む。
【００６４】
ブロック６２６において、プロセスは、サービング・セルおよびネイバー・セルのセル評価を行って、ネイバー・セルに比較したサービング・セルの信号強度と、モバイル・デバイス２０２がサービング・セルからネイバー・セルのうちの１つへのハンドオーバの準備をすべきかどうかとを判断する。この評価プロセスは、サービング・セル測定およびネイバー・セル測定のＲＳＲＰフィルタ処理と、サービング・セル適合性検査の実行と、サービング・セルＲＳＲＰ測定がある所定のしきい値を満たした場合のサービング・セルおよび被測定ネイバー・セルの再選択ランク付けと、現在のＤＲＸサイクルまたは次のＤＲＸサイクル中のオンライン・モードへの遷移の必要を評価することとを含み得る。現在のＤＲＸサイクル中のオンライン・モードへの遷移の必要を評価することは、サービング・セルＲＳＲＰしきい値を比較すること、パニック・モード・セル検出がトリガされる必要があり得るかどうかを決定すること、ならびにある相対ＲＳＲＰしきい値および絶対ＲＳＲＰしきい値に基づいてネイバー・セルＰＢＣＨの必要を評価することを含み得る。次のＤＲＸサイクル中にオンライン・モードに遷移する必要を評価することは、セル検出、周波数間（インターＦ）測定、および／またはインター無線アクセス技術（インターＲＡＴ）測定のための周期タイマーを更新することと、それらを時間しきい値と比較することとを含み得る。しきい値に達した場合、モバイル・デバイス２０２は、次のＤＲＸサイクル中にオンライン・モードで起動するようにトリガされる。次いで、プロセスはブロック６２８に進む。
【００６５】
ブロック６２８において、ブロック６２６中に実装される様々なセル評価方法に基づいて、モバイル・デバイス２０２をオンラインにする必要があるかどうかに関する判断を行う。オンラインになる必要がない場合、プロセスはブロック６４０に進む。他の場合、プロセスはブロック６３０に進む。
【００６６】
ブロック６３０において、プロセスは、モバイル・デバイス２０２の必要な構成要素を初期化して、モバイル・デバイス２０２を起動してオンライン・モードに遷移させる。次いで、プロセスはブロック６３２に進み、プロセスはオンライン処理を実行する。オンライン処理により、モバイル・デバイス２０２は同じＤＲＸサイクル中にオフライン・モードからオンライン・モードに遷移することが可能になる。この遷移は、セル検出のためのパニックモードトリガ、ネイバーＰＢＣＨ復調トリガ、インターＲＡＴおよびインターＦ測定トリガなど、いくつかのイベントによって開始され得る。これらのトリガは、ブロック６２６におけるセル評価の前段の一部として判断され得る。
【００６７】
モバイル・デバイス２０２が、サービング・セルＲＳＲＰがあるしきい値を下回って減少し、監視されるセットの一部としての強いネイバーがないと判断したとき、パニックモードトリガはアクティブにされる。モバイル・デバイス２０２は、次いで、サービング・セル・バッファ３０４およびネイバー・セル・バッファ３０６をオンライン動作モードのために再構成し、次いで、ＲＦトランシーバ２０８をオンにし、続いて、新しいネイバー・セルの検出を試み得る。
【００６８】
ネイバーＰＢＣＨ復調トリガは、ネイバー・セルが所定の絶対ＲＳＲＰしきい値と相対ＲＳＲＰしきい値とを満たしたときにアクティブにされる。ＲＦトランシーバ２０８は、次いで、ＡＧＣ安定化時間を考慮するために、所望のネイバー・セルのための１０ｍｓページング・フレーム境界の前に最長１ｍｓオンにされ得る。これに続いて、１．９２ＭＨｚでのＴＤサンプル・キャプチャがオフラインで処理され得る。ＲＦトランシーバは、次いでオフにされ、ＮＢＣＨ処理が初期化され得る。
【００６９】
モバイル・デバイス２０２が、サービング・セルＲＳＲＰがあるしきい値を下回って減少したか、あるいは、高優先度セルのためのあるインターＲＡＴ／インターＦ測定タイマーが満了しており、インターＲＡＴ測定またはインターＦ測定を実行する必要があると判断したとき、インターＲＡＴおよび周波数間測定トリガはアクティブにされる。インターＲＡＴの場合、およびデータ最適化（ＤＯ）、ＵＭＴＳ、ＧＳＭなど、他の通信システムの下で動作するとき、モバイル・デバイス２０２は、ＲＦトランシーバ２０８をオンにスイッチバックし、ＲＦトランシーバ２０８を所望のＲＡＴ／周波数に同調させ、次いで、関係する測定を実行する必要があり得る。周波数間の場合、モバイル・デバイス２０２は、サービング・セル・バッファ３０４およびネイバー・セル・バッファ３０６をオンライン動作モードのために再構成し、ＲＦトランシーバ２０８をオンにスイッチバックし、ＲＦトランシーバ２０８を所望の周波数に同調させ、次いで、関係する測定を実行する必要があり得る。
【００７０】
図９〜図１０に、オンライン処理がトリガされ得る様々なシナリオ、ならびにオンライン処理ブロック６３２に関与し得るステップのいくつかを示す。図９に示すように、ブロック９０２において、ＬＴＥセル探索によって、またはネイバー・セルＰＢＣＨによってオンライン・モードをトリガする。これらの探索は、サービング・セル基地局２０４およびネイバー・セル基地局２０６のいずれかまたは両方からの弱いパイロット信号によって開始され得る。オンラインプロセスがＬＴＥセル探索によってトリガされるのかネイバー・セルＰＢＣＨによってトリガされるのかに応じて、プロセスはブロック９０４またはブロック９２０のいずれかに進む。
【００７１】
ブロック９０４において、プロセスは、サービング・セル・バッファおよびネイバー・セル・バッファをオンライン動作モードのために再構成し、プロセスはブロック９０６に進む。ブロック９０６において、プロセスは、ＲＦトランシーバ２０８を電源投入し、次いでブロック９０８に進む。ブロック９０８において、プロセスは、直近のＬＮＡ利得更新を適用し、ネイバー・セル・サンプル・キャプチャを開始し、ブロック９１０に進む。ブロック９１０において、プロセスは、キャプチャされたネイバー・セル・サンプルに対してＡＧＣ処理を実行し、ブロック９１２に進む。ブロック９１２において、プロセスは、１次同期信号（ＰＳＳ）検出および／または２次同期信号（ＳＳＳ）検出を実行する。次いで、プロセスはブロック９１４に進み、ＲＳＲＰ測定を実行し、ブロック９１６に進む。ブロック９１６において、プロセスは、サービング・セルおよびネイバー・セルを更新し、ブロック９１６においてＲＦトランシーバ２０８をオフにし、次いでブロック６３４に進む。
【００７２】
ブロック９２０において、プロセスは、ＲＦトランシーバ２０８をオンにし、ブロック９２２に進む。ブロック９２２において、プロセスは、サービング・セル・サンプルおよびネイバー・セル・サンプルをキャプチャし、ブロック９２４に進む。ブロック９２４において、プロセスは、ＲＦトランシーバ２０８をオフにし、ブロック９２６に進む。ブロック９２６において、プロセスは、ＡＧＣ処理、周波数トラッキング、時間トラッキング、チャネル／雑音推定、およびネイバーＰＢＣＨ復調および復号を含む、ネイバーＰＢＣＨ処理を実行し、ブロック９２８に進む。ブロック９２８において、プロセスは、ブロック９２８における処理に基づいてネイバーＰＢＣＨを更新し、ブロック６３４に進む。
【００７３】
図１０に示すように、オンライン・モードは、ＤＯ探索、ＵＭＴＳセル探索、ＵＭＴＳリスト探索、ＬＴＥインターＦセル探索、およびＬＴＥインターＦ  ＲＳＲＰによってトリガされ得る。これらの探索は、サービング・セル基地局２０４およびネイバー・セル基地局２０６のいずれかまたは両方からの弱いパイロット信号によって開始され得る。各別個のトリガは、互いに１つまたは複数の方法で異なるイベントのシーケンスを開始する。たとえば、プロセスは、ブロック１００４、１０１４、１０２４、１０３４、および１０４４に示すように、トリガの各々の後にＲＦトランシーバ２０８をオフにする。ＤＯ探索トリガは、ブロック１００４においてキャプチャされたサンプルのサンプル・キャプチャおよびＡＧＣ処理を開始する。ＵＭＴＳセル探索、ＵＭＴＳリスト探索、ＬＴＥインターＦ、およびＬＴＥインターＦ  ＲＳＲＰは、それぞれ、ブロック１００６、１０１６、１０２６、および１０４６においてサンプル・キャプチャおよびＡＧＣ処理を同様に開始する。ただし、ＬＴＥインターＦセル探索トリガのブロック１０３６は、ＰＳＳ検出をさらに含む。サンプル・キャプチャ処理ブロックの後、各トリガのプロセスは、ＲＦトランシーバ２０８を停止し、続いてトリガ固有の処理を実行する。図示のように、ブロック１０１０において、ＤＯ探索は、オフラインＤＯ処理を開始し、ブロック１０２０において、ＵＭＴＳセル探索は、オフラインＵＭＴＳ  Ｎｅｗ  Ａｄｄｉｔｉｏｎａｌ  Ｓｔｅｐ  Ｔｗｏ  ｃｕｍ  Ｔｈｒｅｅ（ＮＡＳＴＴ）処理を開始し、ブロック１０３０において、ＵＭＴＳリスト探索トリガは、オフラインＬＴＥ  ＳＳＳ処理を開始し、ブロック１０５０において、ＬＴＥインターＦ  ＲＳＲＰトリガは、オフラインＬＴＥ  ＲＳＲＰおよびトラッキング処理を開始する。トリガ固有の処理の後、各プロセスは、ブロック１０１２、１０２２、１０３２、１０４２、および１０５２に示すように、続いてフィルタ・ランク付けを実行する。フィルタ・ランク付けの後、各トリガ固有のプロセスはブロック６３４に進む。
【００７４】
ブロック６３４において、実行すべき他のインターＲＡＴまたはインターＦ処理が残っているかどうかに関する判断を行う。残っていない場合、プロセスはブロック６４０に進む。他の場合、プロセスはブロック６３４に進む。ブロック６３４において、オンライン処理ブロック６３２におけるトリガのうちの１つがＲＦトランシーバ２０８を停止することができなかった場合、プロセスはＲＦトランシーバ２０８を停止する。次いで、プロセスはブロック６３８に進み、インターＲＡＴまたはインターＦ処理をオフラインで実行する。次いで、プロセスはブロック６４０に進む。ブロック６４０において、モバイル・デバイス２０２がそれの処理を完了すると、プロセスは、ＤＲＸプロセッサ２１０、デジタル処理ブロック、および水晶発振器クロックなど、様々な主要構成要素を停止する。ただし、スリープ・コントローラは、アクティブのままであり、次のＤＲＸサイクルまでカウントを維持する。次いで、プロセスはブロック６４２に進み、モバイル・デバイス２０２はスリープ・モードに入り、プロセスは終了する。
【００７５】
図１１は、オフラインＤＲＸプロセス中に実行される処理イベントのタイムラインであり、ページング・サブフレームは、サブフレームを受信するモバイル・デバイスに向けられていない。このタイムラインは、図６のフローチャートを通る特定の経路に対応する。このオフラインＤＲＸプロセスでは、ページング・サブフレーム１１０２はＰＤＣＣＨ上で監視されている。図１１に示すように、図２のモバイル・デバイス２０２などのモバイル・デバイスは、ページング・サブフレーム１１０２を受信し、処理するために必要な構成要素を起動し、ウォームアップするために、ページング・サブフレーム１１０２を受信するより前の時点に起動し得る。ブロックＢ１  １１０４において、モバイル・デバイスは、水晶発振器クロックと必要なデジタル処理構成要素とを初期化する。このプロセスは、たとえば、約３．５ｍｓ続き得る。ブロックＢ２  １１０６において、ＲＦトランシーバ２０８などのＲＦトランシーバを起動し、ページング・サブフレーム１１０２を受信するためにプログラムし、較正する。ブロックＢ２  １１０６のプロセスは、たとえば、約０．５ｍｓ続き得る。ＲＦトランシーバと必要なデジタル論理ブロックとが起動され、安定化された後、図２および図３のＤＲＸプロセッサ２１０などのＤＲＸプロセッサは、ブロックＢ３  １１０８においてページング・サブフレーム１１０２のサンプル・キャプチャおよびＬＮＡの適用を初期化する。ページング・サブフレーム１１０２は一般に１ｍｓであるので、ブロックＢ２  １１０８のサンプル・キャプチャは、後続のサブフレームのサンプルをキャプチャするために、わずかに長くなるように設定され得る。ブロックＢ３  １１０８のプロセスは、たとえば、約１．２ｍｓ続き得る。ブロックＢ３  １１０８のサンプル・キャプチャが完了した後、ＲＦトランシーバはオフにされる。
【００７６】
ブロックＢ３  １１０８においてサンプル・キャプチャを実行しながら、ＤＲＸプロセッサは、ページング・サブフレームがモバイル・デバイス２０２に向けられているかどうかを判断するために処理を初期化する。したがって、ブロックＢ４  １１１０において、ＤＲＸプロセッサは、サービング・セルのＡＧＣ処理、周波数トラッキング、時間トラッキング、チャネル推定、ＲＳＲＰ／ＲＳＲＱ測定、およびＰＤＣＣＨ復調を実行し、ブロックＢ５  １１１２において、ＤＲＸプロセッサは、ネイバー・セルに対して同様の処理を実行する。このシナリオでは、ページング・サブフレームはモバイル・デバイス２０２に向けられていないので、プロセスはブロックＢ６  １１１４に進み、ＤＲＸプロセッサは、図６のブロック６２６に関して説明したように、ハンドオフを実行すべきかどうかを判断するためにセル評価を実行する。ブロックＢ３  １１０８の終了からブロックＢ７  １１１６の開始（たとえば、Ｔ４）のプロセスは、約２．３ｍｓ続き得る。ブロックＢ６  １１１４のセル評価の後、オフラインＤＲＸ処理のために使用されるすべてのデジタル構成要素はオフにされ、モバイル・デバイス２０２は、ブロックＢ７  １１１６において、クールダウンプロセスを開始し、すべての不必要なクロックを停止する。ブロックＢ７  １１１６のクールダウンプロセスは、たとえば、約３．５ｍｓ続き得る。その後、モバイル・デバイス２０２はスリープ・モードに入る。
【００７７】
図１２は、オフラインＤＲＸプロセス中に実行される処理イベントのタイムラインであり、ページング・サブフレームのページング・ペイロードは、サブフレームを受信するモバイル・デバイスに向けられていない。このタイムラインは、図６のフローチャートを通る特定の経路に対応する。図１２では、Ｂ１  １２０４〜Ｂ７  １２１６のブロックは、図１１のＢ１  １１０４〜Ｂ７  １１１６のブロックに対応する。図１１と図１２との１つの差異は、図１２では、ページング・ペイロードがモバイル・デバイス２０２に向けられているかどうかを判断するために、ＤＲＸプロセッサがＰＤＳＣＨ処理を初期化するということである。このプロセスはブロックＢ８  １２１８において実行される。この判断を行うのに使用される追加の処理時間のために、図１２の時間Ｔ４は、図１１の時間よりもわずかに長くなり得る。たとえば、追加の処理時間は約２．８ｍｓかかり得る。したがって、ブロックＢ８  １２１８の後にデジタル処理ブロックはオフにされる。
【００７８】
図１３は、オフラインＤＲＸプロセス中に実行される処理イベントのタイムラインであり、ページング・サブフレームは、サブフレームを受信するモバイル・デバイスに向けられていないが、サービング・セルからの信号が所定のしきい値を下回った場合、ＤＲＸプロセッサは、異なる周波数の下で、ＤＯ、ＵＭＴＳ、ＧＳＭ、インターＦ、ＬＴＥなどの追加のシステムを測定すると判断する。このタイムラインは、図６のフローチャートを通る特定の経路に対応する。図１３では、Ｂ１  １３０４〜Ｂ７  １３１６のブロックは、図１１のＢ１  １１０４〜Ｂ７  １１１６のブロックに対応する。セル評価プロセスが実行されるブロックＢ６  １３１４の後、ＤＲＸプロセッサは、ブロックＢ９  １３２０においてＲＦトランシーバを初期化する。ブロックＢ９  １３２０のプロセスは、たとえば、約０．５ｍｓかかり得る。ＲＦトランシーバがアップすると、ＤＲＸプロセッサは、ブロックＢ１０  １３２２においてサンプル・キャプチャ、ＡＧＣ処理など、特定のシステムのための処理を初期化する。処理が実行されているシステムのタイプに応じて、処理時間Ｔ６は、たとえば、４ｍｓから３３ｍｓまで変化し得る。ブロックＢ１０  １３２２の処理が完了した後、ＲＦトランシーバはオフにされ、ＤＲＸプロセッサは、ブロックＢ１１  １３２４において、オフラインの間にさらなる処理（たとえば、ＵＭＴＳシステムのためのＮＡＳＴＴ処理）を初期化する。その後、ＤＲＸプロセッサは、ブロックＢ１２  １３２６において他の後処理を実行し、次いで、たとえば、約１ｍｓであり得る時間Ｔ８後にデジタル論理ブロックを停止する。
【００７９】
図１４は、オフラインＤＲＸプロセス中に実行される処理イベントのタイムラインであり、ページング・サブフレームのページング・ペイロードは、サブフレームを受信するモバイル・デバイスに向けられていない。このタイムラインは、図６のフローチャートを通る特定の経路に対応する。図１４では、Ｂ１  １４０４〜Ｂ７  １４１６のブロックとＢ９  １４２０〜Ｂ１２  １４２６のブロックとは、図１３のＢ１  １３０４〜Ｂ７  １３１６のブロックとＢ９  １３２０〜Ｂ１２  １３２６のブロックとに対応する。図１３と図１４との１つの差異は、図１４では、ページング・ペイロードがモバイル・デバイス２０２に向けられているかどうかを判断するために、ＤＲＸプロセッサがＰＤＳＣＨ処理を初期化するということである。このプロセスはブロックＢ８  １４１８において実行される。
【００８０】
図１５は、モバイル・デバイス２０２によって実行され得るオンラインＤＲＸプロセス１５００の例を示すフローチャートである。オンラインＤＲＸ処理は、ＤＲＸサイクルＮのためのいくつかの所定のシナリオによってトリガされ得る。オンライン・モードを使用するという決定は、前のＤＲＸサイクルＮ−１中に行われ得る。オンラインＤＲＸ処理をトリガするであろう様々なシナリオは、ＦＤＤおよびＴＤＤのための周期非同期（ＡＳＹＮＣ）ネイバー・セル識別および周期同期（ＳＹＮＣ）ネイバー識別である。
【００８１】
図１５に示すように、ブロック１５０２において、スリープ・コントローラは、図６に関して説明したスリープ・コントローラと同様に、デジタル処理ブロックを実行するために必要なクロック、ＲＦトランシーバ２０８、ＤＲＸプロセッサ２１０、ならびにサービング・セル・バッファ３０４およびネイバー・セル・バッファ３０６など、ＤＲＸ処理を実行するために必要な他の構成要素のすべてを起動し、これらを初期化する。ＤＲＸ処理を実行するために使用されない他のハードウェア構成要素は、スリープ状態のままであり得る。プロセスはブロック１５０４に続く。ブロック１５０４において、ＲＦトランシーバ２０８は、予期されたページング信号のキャリア周波数にロックオンし、プロセスはブロック１５０６に進む。
【００８２】
ブロック１５０６において、ＤＲＸプロセッサ２１０は、サービング・セル・サンプルおよびネイバー・セル・サンプルを記憶するためのメモリ（たとえば、サービング・セル・バッファ３０４およびネイバー・セル・バッファ３０６）を再構成し、続いて、ＲＦトランシーバ２０８を介してサービング・セル・サンプルおよびネイバー・セル・サンプルをキャプチャし、キャプチャされたサンプルをそれぞれのバッファ３０４および３０６に記憶する。次いで、プロセスはブロック１５０８、１５２０、および１５２４に進む。
【００８３】
ブロック１５０８において、プロセスは、ＤＲＸプロセッサ２１０を初期化して、サービング・セル・バッファ３０４に記憶されたサービング・セル・サンプルに対してサービング・セル処理を実行する。これは、図６に示したオフラインＤＲＸプロセスのブロック６１２において実行されるものと同様である。オンラインＤＲＸプロセスとオフラインＤＲＸプロセスとの差異は、図１５のオンラインＤＲＸプロセスでは、オフラインＤＲＸモードで実行される順次処理とは異なり、フリーフローサンプルがサービング・セル・バッファによって受信されるので、ＡＧＣ、周波数トラッキング、および時間トラッキング更新が並行して計算され、適用されることである。サービング・セル処理を実行した後、プロセスはブロック１５１０および１５２２に進む。
【００８４】
ブロック１５１０において、サービング・サンプルのＰＤＣＣＨページング信号を復調し、プロセスはブロック１５１２に進む。ブロック１５１２において、ページング信号がモバイル・デバイス２０２に向けられているかどうかに関する判断を行う。ＰＤＣＣＨページング信号がモバイル・デバイス２０２に向けられている場合、プロセスはブロック１５１４に進む。他の場合、プロセスはブロック１５２８に進む。
【００８５】
ブロック１５１４において、サービング・サンプルのＰＤＳＣＨページング信号を復調し、プロセスはブロック１５１６に進む。ブロック１５１６において、ＰＤＳＣＨページング信号がモバイル・デバイス２０２のためのページング・ペイロードを搬送するかどうかに関する判断を行う。ＰＤＳＣＨがモバイル・デバイス２０２のためのペイロードを含まない場合、ＰＤＳＣＨペイロードはモバイル・デバイス２０２のＲＮＴＩに一致し、プロセスはブロック１５１８に進む。他の場合、プロセスはブロック１５２８に進む。ブロック１５１８において、プロセスは、モバイル・デバイス２０２をオンラインになるようにトリガする。ブロック１５１８の後、プロセスは終了する。
【００８６】
ブロック１５２０において、プロセスは、ＤＲＸプロセッサ２１０を初期化して、ネイバー・セル・バッファ３０６に記憶されたネイバー・セル・サンプルに対してネイバー・セル処理を実行する。これは、図６に示したオフラインＤＲＸプロセスのブロック６２４において実行されるものと同様である。オンラインＤＲＸプロセスとオフラインＤＲＸプロセスとの差異は、図１５のオンラインＤＲＸプロセスでは、オフラインＤＲＸモードで実行される順次処理とは異なり、フリーフローサンプルがネイバー・セル・バッファによって受信されるので、ＡＧＣ、周波数トラッキング、および時間トラッキング更新が並行して計算され、適用されることである。ネイバー・セル処理を実行した後、プロセスはブロック１５２２に進む。
【００８７】
ブロック１５２４において、プロセスは、ＡＳＹＮＣ検出およびＳＹＮＣ検出などのネイバー・セル検出を初期化する。ＡＳＹＮＣ検出とＳＹＮＣ検出の両方は、ＰＳＳ処理およびＳＳＳ処理を含む。ＰＳＳ処理がオンラインで実行された後、ＲＦトランシーバはオフにされ得、その結果、ＳＳＳ処理はオフラインで実行され得る。ブロック１５２４の後、プロセスはブロック１５２６に進む。ブロック１５２６において、ＲＳＲＰ測定を実行し、プロセスはブロック１５２２に進む。
【００８８】
ブロック１５２２において、プロセスは、サービング・セルおよびネイバー・セルのセル評価を行って、ネイバー・セルに比較したサービング・セルの信号強度と、モバイル・デバイス２０２がサービング・セルからネイバー・セルのうちの１つへのハンドオーバの準備をすべきかどうかとを判断する。このセル評価プロセスは、図６のブロック６２６のプロセスと同様である。ブロック１５２２の後、プロセスはブロック１５２８に進む。
【００８９】
ブロック１５２８において、プロセスは、ＤＲＸプロセッサ２１０、デジタル処理ブロック、および水晶発振器クロックなど、様々な主要構成要素を停止する。ただし、スリープ・コントローラは、アクティブのままであり、次のＤＲＸサイクルまでカウントを維持する。次いで、プロセスはブロック１５３０に進み、モバイル・デバイス２０２はスリープ・モードに入り、プロセスは終了する。
【００９０】
図１６は、オンラインＤＲＸプロセス中に実行される処理イベントのタイムラインであり、ページング・サブフレームのページング・ペイロードは、サブフレームを受信するモバイル・デバイスに向けられていない。このタイムラインは、図１５のフローチャートを通る特定の経路に対応する。このオンラインＤＲＸプロセスでは、ページング・サブフレーム１１０２は、ＰＤＣＣＨ上で監視されている。図１６に示すように、図２のモバイル・デバイス２０２などのモバイル・デバイスは、ページング・サブフレーム１６０２を受信し、処理するために必要な構成要素を起動し、ウォームアップするために、ページング・サブフレーム１６０２を受信するより前の時点に起動し得る。ブロックＢ１  １６０４において、モバイル・デバイスは、水晶発振器クロックと必要なデジタル処理構成要素とを初期化する。ブロックＢ２  １６０６において、ＲＦトランシーバ２０８などのＲＦトランシーバを起動し、ページング・サブフレーム１６０２を受信するためにプログラムし、較正する。ＲＦトランシーバと必要なデジタル論理ブロックとが起動され、安定化した後、ＤＲＸプロセッサは、サンプル・キャプチャと、ページング・サブフレームがモバイル・デバイス２０２に向けられているかどうかを判断するための処理とを初期化し得る。したがって、ブロックＢ４  １６１０において、ＤＲＸプロセッサは、サービング・セルのＡＧＣ処理、周波数トラッキング、時間トラッキング、チャネル推定、ＲＳＲＰ／ＲＳＲＱ測定、およびＰＤＣＣＨ復調を実行し、ブロックＢ５  １６１２において、ＤＲＸプロセッサは、ネイバー・セルに対して同様の処理を実行する。
【００９１】
さらに、ＤＲＸプロセッサは、ブロックＢ１４  １６３０において、それぞれのＡＳＹＮＣ検出またはＳＹＮＣ検出のためのオンラインＰＳＳ処理を初期化する。オンラインＰＳＳ処理の持続時間は、それがＡＳＹＮＣ  ＦＤＤ  ＬＴＥセル検出のため、ＳＹＮＣ  ＦＤＤ  ＬＴＥセル検出のため、またはＳＹＮＣ  ＴＤＤ  ＬＴＥセル検出のために実行されるかどうかに依存し得、たとえば、１８ｍｓから２１ｍｓまで変化し得る。たとえば、ＤＲＸプロセッサのいくつかの設計仕様はＳＹＮＣ  ＦＤＤ  ＬＴＥセル検出およびＳＹＮＣ  ＴＤＤ  ＬＴＥセル検出に合わせて最適化されているので、ＳＹＮＣ  ＦＤＤ  ＬＴＥセル検出およびＳＹＮＣ  ＴＤＤ  ＬＴＥセル検出は、ＡＳＹＮＣ  ＦＤＤ  ＬＴＥセル検出よりも短い持続時間を有し得る。ブロックＢ１３  １６２８において、ＤＲＸプロセッサはＰＤＣＣＨ処理を実行し、ブロックＢ８  １６１８において、ＤＲＸプロセッサはＰＤＳＣＨ処理を実行する。ブロックＢ６  １６１４において、ＤＲＸプロセッサは、図１５のブロック１５２２に関して説明したように、ハンドオフを実行すべきかどうかを判断するためにセル評価を実行する。オンラインＰＳＳ処理ブロックＢ１４  １６３４の後、ＲＦトランシーバはオフにされる。その後、ＤＲＸプロセッサは、ブロックＢ１１  １６２４において、オフラインＳＳＳ処理を初期化することによってそれぞれのＡＳＹＮＣ検出またはＳＹＮＣ検出を続ける。次いで、ＤＲＸプロセッサは、ブロックＢ１２  １６２６において他の後処理を実行し、もはや使用されていないデジタル論理構成要素を停止する。最後に、モバイル・デバイス２０２は、ブロックＢ７  １６１６において、クールダウンプロセスを開始し、すべての不必要なクロックを停止する。その後、モバイル・デバイス２０２はスリープ・モードに入る。
【００９２】
図１７は、オンラインＤＲＸプロセス状態およびオフラインＤＲＸプロセス状態を例示する状態機械図である。図１に示すように、ＤＲＸ状態機械図１７００は、オフラインＤＲＸ状態１７０２と、オンラインＤＲＸ状態１７０４と、オフライン・モードにおけるオンラインＤＲＸ状態１７０６とを含み得る。オフラインＤＲＸ状態１７０２は、キャプチャされたサービング・セル・サンプルおよびネイバー・セル・サンプルの処理がＲＦトランシーバがオフにある間に行われる状態を表す。いくつかのトリガ１７０８は、オフライン・モードにおけるオンラインＤＲＸ状態１７０４への遷移を生じ得、この遷移は、特に、ＲＦトランシーバをオンにすることを構成し得る。トリガ１７０８は、特に、セル評価６２６中にキャプチャされたサンプルの処理中に判断され得る。これらのトリガは、図６に関して説明したように、セル検出のためのパニックモードトリガ、ネイバーＰＢＣＨ復調トリガ、ならびにインターＲＡＴおよびインターＦ測定トリガであり得る。パニック探索、ネイバーＰＢＣＨ復調、インターＲＡＴ測定、またはインターＦ測定の完了は、ＲＦトランシーバをオフにすることによってオフラインＤＲＸ状態１７０２に戻る遷移１７１０をトリガし得る。
【００９３】
オフラインＤＲＸ状態１７０２からオンラインＤＲＸ状態１７０６への遷移１７１２は、スケジュール期間ネイバー探索によってトリガされ得る。オンラインＤＲＸ状態１７０６はまた、アクティブＲＦトランシーバによって特徴づけられ得る。オンラインＤＲＸ状態１７０６とオフライン・モードにおけるオンラインＤＲＸ状態１７０４との差異は、オンラインＤＲＸ状態１７０６では、ＡＧＣ処理、周波数トラッキング、時間トラッキングなどの様々なサンプル処理ステップが、オフライン・モードにおけるオンラインＤＲＸ状態１７０４の場合のようにＲＦトランシーバがオフの状態で連続的に実行されるのではなく、ＲＦトランシーバがオンの状態にあることと並行して実行されるということである。オンラインＤＲＸ状態１７０６からオフラインＤＲＸ状態１７０２への遷移１７１４は、インターＦ探索がスケジュールされていないときに行われ得る。
【００９４】
このようにして、ＤＲＸ状態機械１７００で説明したプロセスを実装するモバイル・デバイスは、異なるシナリオによって開始された特定のトリガに応答してオンラインＤＲＸ状態とオフラインＤＲＸ状態との間を遷移することによって様々な通信シナリオに適応し得る。そのようなＤＲＸ適応性は、異なる動作モードでの電力消費量の著しい低減を可能にする。
【００９５】
図１８は、図１〜図１７に関して説明した様々なオフラインおよびオンラインＤＲＸ処理機構を実装するためのＭＩＭＯ通信システム１８００のブロック図である。図１８に示すように、通信システム１８００は、（アクセスポイントとしても知られる）送信機システム１８１０と（アクセス端末としても知られる）受信機システム１８５０とを含み得る。送信機システム１８１０において、いくつかのデータ・ストリームのトラフィック・データがデータ・ソース１８１２から送信（ＴＸ）データ・プロセッサ１８１４に供給される。
【００９６】
一実施形態では、各データ・ストリームは、それぞれの送信アンテナを介して送信される。ＴＸデータ・プロセッサ１８１４は、コード化されたデータを与えるために、各データ・ストリームのトラフィック・データを、そのデータ・ストリーム用に選択された特定のコーディング方式に基づいてフォーマットし、コーディングし、インターリーブする。
【００９７】
各データ・ストリームのコード化されたデータは、ＯＦＤＭ技法を使用してパイロット・データで多重化され得る。パイロット・データは、典型的には、知られている方法で処理され、チャネル応答を推定するために受信機システムにおいて使用され得る、知られているデータパターンである。次いで、各データ・ストリームの多重化されたパイロット・データおよびコード化されたデータは、変調シンボルを与えるために、そのデータ・ストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボル・マッピング）される。各データ・ストリームのデータ・レート、コーディング、および変調は、プロセッサ１８３０によって実行される命令によって判断され得る。
【００９８】
次いで、すべてのデータ・ストリームの変調シンボルはＴＸ  ＭＩＭＯプロセッサ１８２０に供給され、ＴＸ  ＭＩＭＯプロセッサ１８２０は、（たとえば、ＯＦＤＭ用に）その変調シンボルをさらに処理する。次いで、ＴＸ  ＭＩＭＯプロセッサ１８２０はＮＴ個の変調シンボル・ストリームをＮＴ個の送信機（ＴＭＴＲ）１８２２ａ〜１８２２ｔに供給する。いくつかの実施形態では、ＴＸ  ＭＩＭＯプロセッサ１８２０は、データ・ストリームのシンボルと、シンボルが送信されているアンテナとにビーム・フォーミング重みを適用する。
【００９９】
各送信機１８２２は、それぞれのシンボル・ストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した被変調信号を与える。次いで、送信機１８２２ａ〜１８２２ｔからのＮＴ個の被変調信号は、それぞれＮＴ個のアンテナ１８２４ａ〜１８２４ｔから送信される。
【０１００】
受信機システム１８５０において、送信された被変調信号はＮＲ個のアンテナ１８５２ａ〜１８５２ｒによって受信され、各アンテナ１８５２からの受信信号は、それぞれの受信機（ＲＣＶＲ）１８５４ａ〜１８５４ｒに供給される。各受信機１８５４は、それぞれの受信信号を調整（たとえば、フィルタ処理、増幅、およびダウン・コンバート）し、調整された信号をデジタル化して、サンプルを供給し、さらにそれらのサンプルを処理して、対応する「受信」シンボル・ストリームを供給する。
【０１０１】
次いで、ＲＸデータ・プロセッサ１８６０は、ＮＲ個の受信機１８５４からＮＲ個の受信シンボル・ストリームを受信し、特定の受信機処理技法に基づいて処理して、ＮＴ個の「検出」シンボル・ストリームを供給する。次いで、ＲＸデータ・プロセッサ１８６０は、各検出シンボル・ストリームを復調し、デインターリーブし、復号して、データ・ストリームのトラフィック・データを復元する。ＲＸデータ・プロセッサ１８６０による処理は、送信機システム１８１０におけるＴＸ  ＭＩＭＯプロセッサ１８２０およびＴＸデータ・プロセッサ１８１４によって実行される処理を補足するものである。
【０１０２】
プロセッサ１８７０は、どのプリコーディング行列を使用すべきかを周期的に判断する（後述）。プロセッサ１８７０は、行列インデックス部とランク値部とを含む逆方向リンクメッセージを作成する。
【０１０３】
逆方向リンクメッセージは、通信リンクおよび／または受信データ・ストリームに関する様々なタイプの情報を備え得る。次いで、逆方向リンクメッセージは、データ・ソース１８３６からいくつかのデータ・ストリームのトラフィック・データをも受信するＴＸデータ・プロセッサ１８３８によって処理され、変調器１８８０によって変調され、送信機１８５４ａ〜１８５４ｒによって調整され、送信機システム１８１０に返信される。
【０１０４】
送信機システム１８１０において、受信機システム１８５０からの被変調信号は、アンテナ１８２４によって受信され、受信機１８２２によって調整され、復調器１８４０によって復調され、受信機システム１８５０によって送信された逆方向リンクメッセージを抽出するためにＲＸデータ・プロセッサ１８４２によって処理される。次いで、プロセッサ１８３０は、ビーム・フォーミング重みを判断するためにどのプリコーディング行列を使用すべきかを判断し、次いで、抽出されたメッセージを処理する。
【０１０５】
図１９は、オフラインおよびオンラインＤＲＸ処理を実行する例示的なシステム１９００の図である。たとえば、システム１９００は、少なくとも部分的に、基地局、モバイル・デバイスなどの内部に常駐することができる。システム１９００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１９００は、連携して動作することができる手段の論理グルーピング１９０２を含む。たとえば、論理グルーピング１９０２は、モバイル・デバイスのトランシーバをオン状態に切り替えるための手段１９０４と、第１のサイクル中にトランシーバを介して第１のページング信号を受信するための手段１９０６と、受信した第１のページング信号をモバイル・デバイスのメモリに記憶するための手段１９０８と、トランシーバをオフ状態に切り替えるための手段１９１０と、トランシーバがオフ状態にある間に記憶された第１のページング信号を処理するための手段１９１２と、処理するための手段に基づいてオンライン・モードに入るべきかどうかを判断するための手段と、を含むことができる。さらに、システム１９００は、手段１９０４〜１９１４に関連する機能を実行するための命令を保持するメモリ１９１６を含むことができる。メモリ１９１６の外部にあるものとして示されているが、手段１９０４〜１９１４のうちの１つまたは複数はメモリ１９１６の内部に存在することができることを理解されたい。
【０１０６】
上記で説明したことは、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
【０１０７】
本明細書で開示した実施形態に関して説明した様々な例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロ・プロセッサであり得るが、代替として、プロセッサは任意の従来のプロセッサ、コントローラ、マイクロコントローラ、または状態機械であり得る。プロセッサはまた、コンピューティング・デバイスの組合せ、たとえば、ＤＳＰとマイクロ・プロセッサとの組合せ、複数のマイクロ・プロセッサ、ＤＳＰコアと連携する１つまたは複数のマイクロ・プロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【０１０８】
さらに、本明細書で開示された態様に関して説明した方法またはアルゴリズムのステップおよび／またはアクションは、直接ハードウェアで実施されるか、プロセッサによって実行されるソフトウェア・モジュールで実施されるか、またはその２つの組合せで実施され得る。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐し得る。例示的な記憶媒体は、プロセッサが記憶媒体から情報を読むことができ、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータ・プログラム製品に組み込まれ得る、機械可読媒体および／またはコンピュータ可読媒体上のコードおよび／または命令の１つまたは任意の組合せ、あるいはそのセットとして常駐し得る。
【０１０９】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータ・プログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク・ストレージ、磁気ディスク・ストレージまたは他の磁気ストレージデバイス、あるいは命令またはデータ構造の形態の所望のプログラム・コードを搬送または記憶するために使用され得、コンピュータによってアクセスされ得る、任意の他の媒体を備えることができる。また、いかなる接続もコンピュータ可読媒体と呼ばれ得る。たとえば、ソフトウェアが、同軸ケーブル、光ファイバ・ケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバ・ケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１０】
上記の開示は、例示的な態様および／または実施形態について論じたが、添付の特許請求の範囲によって定義される、説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
なお、以下に、出願当初の特許請求の範囲に記載された発明を付記する。
［Ｃ１］モバイル・デバイスのトランシーバをオン状態に切り替えることと、
第１のサイクル中に前記トランシーバを介して第１のページング信号を受信することと、
前記受信した第１のページング信号を前記モバイル・デバイスのメモリに記憶することと、
前記トランシーバをオフ状態に切り替えることと、
前記トランシーバが前記オフ状態にある間に前記記憶された第１のページング信号を処理することと、
前記処理に基づいてオンライン・モードに入るべきかどうかを判断することと、
を備える信号を処理するための方法。
［Ｃ２］前記処理が、前記第１のページング信号を不連続受信（ＤＲＸ）処理することを備えるＣ１に記載の方法。
［Ｃ３］前記第１のページング信号のパイロット信号の強度を測定することと、前記測定に基づいて前記トランシーバをオン状態に切り替えるべきかどうかを判断することとをさらに備えるＣ１に記載の方法。
［Ｃ４］前記測定されたパイロット信号の前記強度が所定のしきい値を超えない場合、代替システムの探索を行うことをさらに備えるＣ３に記載の方法。
［Ｃ５］前記代替システムが、データ最適化（ＤＯ）システム、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システム、またはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）であるＣ４に記載の方法。
［Ｃ６］前記第１のサイクル中に、第２のサイクル中にオンライン・モードに入ると判断することと、
前記メモリをオフライン動作モードからオンライン動作モードに再構成することと、
前記第２のサイクル中に前記オンライン・モードに入ることと、
をさらに備えるＣ１に記載の方法。
［Ｃ７］前記第２のサイクル中にネイバー・セルを検出することであって、前記ネイバー・セルが、非同期（ＡＳＹＮＣ）周波数分割複信（ＦＤＤ）ロングタームエボリューション（ＬＴＥ）ネイバー・セル、同期（ＳＹＮＣ）ＦＤＤ  ＬＴＥネイバー・セル、またはＳＹＮＣ時分割複信（ＴＤＤ）ＬＴＥネイバー・セルである、検出することと、
前記トランシーバが前記オン状態にある間に前記ネイバー・セルに対して１次同期信号（ＰＳＳ）処理を実行することと、
前記トランシーバが前記オフ状態にある間に前記ネイバー・セルに対して２次同期信号（ＳＳＳ）処理を実行することと、
をさらに備えるＣ６に記載の方法。
［Ｃ８］前記ＳＹＮＣ  ＦＤＤ  ＬＴＥネイバー・セルおよび前記ＳＹＮＣ  ＴＤＤ  ＬＴＥネイバー・セルの前記ＰＳＳ処理の持続時間が、前記ＡＳＹＮＣ  ＦＤＤ  ＬＴＥネイバー・セルの前記ＰＳＳ処理の前記持続時間よりも小さいＣ７に記載の方法。
［Ｃ９］サービング・セルの基準信号受信電力（ＲＳＲＰ）が前記サービング・セルの所定のしきい値よりも小さいと判断することと、
少なくとも１つのネイバー・セルのＲＳＲＰが前記少なくとも１つのネイバー・セルの所定のしきい値よりも小さいと判断することと、
前記第１のサイクル中に前記モバイル・デバイスの前記トランシーバを前記オン状態に切り替えることと、
ネイバー・セル検出を実行することと、
をさらに備えるＣ１に記載の方法。
［Ｃ１０］ネイバー・セルが所定の絶対基準信号受信電力（ＲＳＲＰ）しきい値と相対ＲＳＲＰしきい値とを満たすと判断することと、
前記ネイバー・セルのネイバーページング信号を受信するより前に前記モバイル・デバイスの前記トランシーバを前記オン状態に切り替えることと、
前記ネイバーページング信号の時間領域（ＴＤ）サンプル・キャプチャを実行することと、
前記モバイル・デバイスの前記トランシーバを前記オフ状態に切り替えることと、
ネイバーブロードキャストチャネル（ＮＢＣＨ）処理を初期化することと、
をさらに備えるＣ１に記載の方法。
［Ｃ１１］サービング・セルの基準信号受信電力（ＲＳＲＰ）が前記サービング・セルの所定のしきい値よりも小さいと判断することと、
前記第１のサイクル中に前記モバイル・デバイスの前記トランシーバを前記オン状態に切り替えることと、
前記トランシーバを無線アクセス技術（ＲＡＴ）周波数に同調させることと、
インターＲＡＴ測定を実行することと、
をさらに備えるＣ１に記載の方法。
［Ｃ１２］少なくとも１つの高優先度セルのインター無線アクセス技術（インターＲＡＴ）測定タイマーが満了したと判断することと、
前記第１のサイクル中に前記モバイル・デバイスの前記トランシーバを前記オン状態に切り替えることと、
前記トランシーバを無線アクセス技術周波数に同調させることと、
インターＲＡＴ測定を実行することと、
をさらに備えるＣ１に記載の方法。
［Ｃ１３］サービング・セルの基準信号受信電力（ＲＳＲＰ）が前記サービング・セルの所定のしきい値よりも小さいと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
をさらに備えるＣ１に記載の方法。
［Ｃ１４］少なくとも１つの高優先度セルの周波数間測定タイマーが満了したと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
をさらに備えるＣ１に記載の方法。
［Ｃ１５］第１のサイクル中に第１のページング信号を受信するように構成されたトランシーバと、
メモリと、
前記受信した第１のページング信号を前記メモリに記憶することと、前記第１のページング信号が前記メモリに記憶された後に前記トランシーバをオフ状態に切り替えることと、前記トランシーバが前記オフ状態にある間に前記記憶された第１のページング信号を処理することと、前記処理に基づいてオンライン・モードに入るべきかどうかを判断することとを行うように構成されたプロセッサと、
を備えるワイヤレス通信装置。
［Ｃ１６］前記プロセッサが、前記第１のページング信号に対して不連続受信（ＤＲＸ）処理を実行するようにさらに構成された、Ｃ１５に記載のワイヤレス通信装置。
［Ｃ１７］前記プロセッサが、前記第１のページング信号のパイロット信号の強度を測定することと、前記測定に基づいて前記トランシーバをオン状態に切り替えるべきかどうかを判断することとを行うようにさらに構成された、Ｃ１５に記載のワイヤレス通信装置。
［Ｃ１８］前記測定されたパイロット信号の前記強度が所定のしきい値を超えない場合、代替システムの探索を行うようにさらに構成された、Ｃ１７に記載のワイヤレス通信装置。
［Ｃ１９］前記代替システムが、データ最適化（ＤＯ）システム、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システム、またはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）であるＣ１８に記載のワイヤレス通信装置。
［Ｃ２０］前記プロセッサが、
前記第１のサイクル中に、第２のサイクル中にオンライン・モードに入ると判断することと、
前記メモリをオフライン動作モードからオンライン動作モードに再構成することと、
前記第２のサイクル中に前記オンライン・モードに入ることと、
を行うようにさらに構成されるＣ１５に記載のワイヤレス通信装置。
［Ｃ２１］前記プロセッサが、
前記第２のサイクル中にネイバー・セルを検出することであって、前記ネイバー・セルが、非同期（ＡＳＹＮＣ）周波数分割複信（ＦＤＤ）ロングタームエボリューション（ＬＴＥ）ネイバー・セル、同期（ＳＹＮＣ）ＦＤＤ  ＬＴＥネイバー・セル、またはＳＹＮＣ時分割複信（ＴＤＤ）ＬＴＥネイバー・セルである、検出することと、
前記トランシーバが前記オン状態にある間に前記ネイバー・セルに対して１次同期信号（ＰＳＳ）処理を実行することと、
前記トランシーバが前記オフ状態にある間に前記ネイバー・セルに対して２次同期信号（ＳＳＳ）処理を実行することと、
を行うようにさらに構成されるＣ２０に記載のワイヤレス通信装置。
［Ｃ２２］前記ＳＹＮＣ  ＦＤＤ  ＬＴＥネイバー・セルおよび前記ＳＹＮＣ  ＴＤＤ  ＬＴＥネイバー・セルの前記ＰＳＳ処理の持続時間が、前記ＡＳＹＮＣ  ＦＤＤ  ＬＴＥネイバー・セルの前記ＰＳＳ処理の前記持続時間よりも少ないＣ２１に記載のワイヤレス通信装置。
［Ｃ２３］前記プロセッサが、
サービング・セルの基準信号受信電力（ＲＳＲＰ）が前記サービング・セルの所定のしきい値よりも小さいと判断することと、
少なくとも１つのネイバー・セルのＲＳＲＰが前記少なくとも１つのネイバー・セルの所定のしきい値よりも小さいと判断することと、
前記第１のサイクル中に前記モバイル・デバイスの前記トランシーバを前記オン状態に切り替えることと、
ネイバー・セル検出を実行することと、
を行うようにさらに構成されるＣ１５に記載のワイヤレス通信装置。
［Ｃ２４］前記プロセッサが、
ネイバー・セルが所定の絶対基準信号受信電力（ＲＳＲＰ）しきい値と相対ＲＳＲＰしきい値とを満たすと判断することと、
前記ネイバー・セルのネイバーページング信号を受信するより前に前記モバイル・デバイスの前記トランシーバを前記オン状態に切り替えることと、
前記ネイバーページング信号の時間領域（ＴＤ）サンプル・キャプチャを実行することと、
前記モバイル・デバイスの前記トランシーバを前記オフ状態に切り替えることと、
ネイバーブロードキャストチャネル（ＮＢＣＨ）処理を初期化することと、
を行うようにさらに構成されるＣ１５に記載のワイヤレス通信装置。
［Ｃ２５］前記プロセッサが、
サービング・セルの基準信号受信電力（ＲＳＲＰ）が前記サービング・セルの所定のしきい値よりも小さいと判断することと、
前記第１のサイクル中に前記モバイル・デバイスの前記トランシーバを前記オン状態に切り替えることと、
前記トランシーバを無線アクセス技術（ＲＡＴ）周波数に同調させることと、
インターＲＡＴ測定を実行することと、
を行うようにさらに構成されるＣ１５に記載のワイヤレス通信装置。
［Ｃ２６］前記プロセッサが、
少なくとも１つの高優先度セルのインター無線アクセス技術（インターＲＡＴ）測定タイマーが満了したと判断することと、
前記第１のサイクル中に前記モバイル・デバイスの前記トランシーバを前記オン状態に切り替えることと、
前記トランシーバを無線アクセス技術周波数に同調させることと、
インターＲＡＴ測定を実行することと、
を行うようにさらに構成されるＣ１５に記載のワイヤレス通信装置。
［Ｃ２７］前記プロセッサが、
サービング・セルの基準信号受信電力（ＲＳＲＰ）が前記サービング・セルの所定のしきい値よりも小さいと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと
を行うようにさらに構成されるＣ１５に記載のワイヤレス通信装置。
［Ｃ２８］前記プロセッサが、
少なくとも１つの高優先度セルの周波数間測定タイマーが満了したと判断することと、
前記メモリをオフライン動作モードからオンライン動作モードに再構成することと、
前記第１のサイクル中に前記モバイル・デバイスの前記トランシーバを前記オン状態に切り替えることと、
前記トランシーバを所定の周波数に同調させることと、
周波数間測定を実行することと、
を行うようにさらに構成されるＣ１５に記載のワイヤレス通信装置。
［Ｃ２９］モバイル・デバイスのトランシーバをオン状態に切り替えるための手段と、
第１のサイクル中に前記トランシーバを介して第１のページング信号を受信するための手段と、
前記受信した第１のページング信号を前記モバイル・デバイスのメモリに記憶するための手段と、
前記トランシーバをオフ状態に切り替えるための手段と、
前記トランシーバが前記オフ状態にある間に前記記憶された第１のページング信号を処理するための手段と、
処理するための前記手段に基づいてオンライン・モードに入るべきかどうかを判断するための手段と、
を備える装置。
［Ｃ３０］コンピュータに、モバイル・デバイスのトランシーバをオン状態に切り替えさせるための第１のコードセットと、
コンピュータに、第１のサイクル中に前記トランシーバを介して第１のページング信号を受信させるための第２のコードセットと、
コンピュータに、前記受信した第１のページング信号を前記モバイル・デバイスのメモリに記憶させるための第３のコードセットと、
コンピュータに、前記トランシーバをオフ状に切り替えさせるための第４のコード
セットと、
コンピュータに、前記トランシーバが前記オフ状態にある間に前記記憶された第１のページング信号を処理させるための第５のコードセットと、
コンピュータに、前記処理に基づいてオンライン・モードに入るべきかどうかを判断させるための第６のコードセットと、
を備えるコンピュータ可読媒体を備えるコンピュータ・プログラム製品。
［Ｃ３１］モバイル・デバイスのトランシーバをオン状態に切り替えることと、
第１のサイクル中に前記トランシーバを介して第１のページング信号を受信することと、
前記受信した第１のページング信号を前記モバイル・デバイスのメモリに記憶することと、
前記トランシーバをオフ状態に切り替えることと、
前記トランシーバが前記オフ状態にある間に前記記憶された第１のページング信号を処理することと、
前記処理に基づいてオンライン・モードに入るべきかどうかを判断することと、
を行うように構成された少なくとも１つのプロセッサ、
を備えるワイヤレス通信装置。
【図１】
0005502997.tif 000002
【図２】
0005502997.tif 000003
【図３】
0005502997.tif 000004
【図４】
0005502997.tif 000005
【図５】
0005502997.tif 000006
【図６】
0005502997.tif 000007
【図７】
0005502997.tif 000008
【図８】
0005502997.tif 000009
【図９】
0005502997.tif 000010
【図１０】
0005502997.tif 000011
【図１１】
0005502997.tif 000012
【図１２】
0005502997.tif 000013
【図１３】
0005502997.tif 000014
【図１４】
0005502997.tif 000015
【図１５】
0005502997.tif 000016
【図１６】
0005502997.tif 000017
【図１７】
0005502997.tif 000018
【図１８】
0005502997.tif 000019
【図１９】
0005502997.tif 000020